(57)【要約】  本願は、セルハンドオーバ方法、装置、およびシステムを提供する。セルハンドオーバ方法は、モバイルエッジコンピューティング（MEC）サーバにより、ソースセルによって送信された移動端末の状態情報を受信するステップであって、状態情報が位置情報および速度情報を含む、ステップと、MECサーバにより、状態情報に基づいてターゲットセルを決定するステップであって、MECサーバがターゲットセルにサービスを提供し、ターゲットセルがソースセルに隣接し、ターゲットセルのカバレッジがソースセルのカバレッジと部分的に重複する、ステップと、MECサーバにより、ソースセルを使用してターゲットセルの識別子を移動端末に送信するステップとを含む。本願で提供されるセルハンドオーバ方法、装置、およびシステムによれば、セルハンドオーバは、MECサーバを使用して制御され、セルハンドオーバの効率を向上させる。
2019532604.tif 000002
【特許請求の範囲】
【請求項１】
セルハンドオーバ方法であって、
モバイルエッジコンピューティングMECサーバにより、ソースセルによって送信された移動端末の状態情報を受信するステップであって、前記状態情報が位置情報および速度情報を含み、前記ソースセルが前記移動端末にサービスを提供し、前記MECサーバが前記ソースセルにサービスを提供する、ステップと、
前記MECサーバにより、前記状態情報に基づいてターゲットセルを決定するステップであって、前記MECサーバが前記ターゲットセルにサービスを提供し、前記ターゲットセルが前記ソースセルに隣接し、前記ターゲットセルのカバレッジが前記ソースセルのカバレッジと部分的に重複する、ステップと、
前記MECサーバにより、前記ソースセルを使用して前記ターゲットセルの識別子を前記移動端末に送信するステップと
を含む方法。
【請求項２】
前記方法が、
前記MECサーバにより、前記ソースセルと前記ターゲットセルとの間のハンドオーバ領域に関する情報を取得するステップであって、前記ハンドオーバ領域が前記移動端末のセルハンドオーバに使用される、ステップと、
前記MECサーバにより、前記状態情報および前記ハンドオーバ領域に関する前記情報に基づいて、前記移動端末のサービングセルが前記ソースセルから前記ターゲットセルに切り替えられるハンドオーバ時点を決定するステップと
をさらに含み、
前記MECサーバにより、前記ソースセルを使用して前記ターゲットセルの識別子を前記移動端末に送信する前記ステップが、
前記MECサーバにより、前記ソースセルを使用して前記ターゲットセルの前記識別子および前記ハンドオーバ時点に関する情報を前記移動端末に送信するステップ
を含む、請求項1に記載の方法。
【請求項３】
前記MECサーバにより、前記ソースセルと前記ターゲットセルとの間のハンドオーバ領域に関する情報を取得する前記ステップであって、前記ハンドオーバ領域が前記移動端末のセルハンドオーバに使用される、前記ステップが、
前記MECサーバにより、試験に使用される試験移動端末のアップリンク信号を測定することによって前記ソースセルによって取得される第1の信号強度値と、前記アップリンク信号を測定することによって前記ターゲットセルによって取得される第2の信号強度値とを取得するステップであって、前記試験移動端末が前記ソースセルの前記カバレッジと前記ターゲットセルの前記カバレッジとの重複領域に位置する、ステップと、
前記MECサーバにより、前記試験移動端末が通過する領域であって、前記第1の信号強度値と前記第2の信号強度値との差が第1の閾値未満となる領域を、前記ハンドオーバ領域として決定するステップと
を含む、請求項2に記載の方法。
【請求項４】
前記MECサーバにより、前記状態情報および前記ハンドオーバ領域に関する前記情報に基づいて、前記移動端末のサービングセルが前記ソースセルから前記ターゲットセルに切り替えられるハンドオーバ時点を決定する前記ステップが、
前記MECサーバにより、前記状態情報と、前記ハンドオーバ領域に関する前記情報と、転移期間情報およびリソース構成情報のうちの少なくとも一方とに基づいて前記ハンドオーバ時点を決定するステップであって、前記転移期間情報が、前記移動端末のパケット・データ・コンバージェンス・プロトコルPDCPシーケンス番号SN状態を転移させるために前記ソースセルおよび前記ターゲットセルによって必要とされる期間を示すために使用され、前記リソース構成情報が、前記ターゲットセルのアップリンクリソースの現在の使用状況を示すために使用される、ステップ
を含む、請求項2または3に記載の方法。
【請求項５】
前記方法が、
前記MECサーバにより、前記ハンドオーバ時点および前記ターゲットセルのアップリンクリソースの現在の使用状況に基づいて、前記移動端末のために前記ターゲットセルによって予約されるアップリンクリソースを決定するステップ
をさらに含み、
前記MECサーバにより、前記ソースセルを使用して前記ターゲットセルの前記識別子および前記ハンドオーバ時点に関する情報を前記移動端末に送信する前記ステップが、
前記MECサーバにより、前記ソースセルを使用して前記ターゲットセルの前記識別子、前記ハンドオーバ時点に関する前記情報、および前記アップリンクリソースに関する情報を前記移動端末に送信するステップ
を含む、請求項2から4のいずれか一項に記載の方法。
【請求項６】
前記MECサーバにより、前記ハンドオーバ時点および前記ターゲットセルの前記アップリンクリソースの前記現在の使用状況に基づいて、前記移動端末のために前記ターゲットセルによって予約されるアップリンクリソースを決定する前記ステップの後に、前記方法が、
前記MECサーバにより、前記移動端末の識別子、前記ハンドオーバ時点に関する前記情報、および前記アップリンクリソースに関する前記情報を前記ターゲットセルに送信するステップ
をさらに含む、請求項5に記載の方法。
【請求項７】
セルハンドオーバ方法であって、
ソースセルにより、移動端末の状態情報をモバイルエッジコンピューティングMECサーバに送信するステップであって、前記状態情報が位置情報および速度情報を含み、前記MECサーバが前記ソースセルにサービスを提供し、前記ソースセルが前記移動端末にサービスを提供する、ステップと、
前記ソースセルにより、前記状態情報に基づいて前記MECサーバによって送信されたターゲットセルの識別子を受信するステップと、
前記ソースセルにより、前記ターゲットセルの前記識別子を前記移動端末に送信するステップと
を含む方法。
【請求項８】
前記方法が、
前記ソースセルにより、前記状態情報に基づいて前記MECサーバによって送信された、前記移動端末のサービングセルが前記ソースセルから前記ターゲットセルに切り替えられるハンドオーバ時点に関する情報および前記移動端末のために前記ターゲットセルによって予約されるアップリンクリソースに関する情報のうちの少なくとも一方を受信するステップ
をさらに含み、
前記ソースセルにより、前記ターゲットセルの前記識別子を前記移動端末に送信する前記ステップが、
前記ソースセルにより、前記ターゲットセルの前記識別子と、前記ハンドオーバ時点に関する前記情報および前記アップリンクリソースに関する前記情報のうちの前記少なくとも一方とを前記移動端末に送信するステップ
を含む、請求項7に記載の方法。
【請求項９】
前記ソースセルにより、前記ターゲットセルの前記識別子と、前記ハンドオーバ時点に関する前記情報および前記アップリンクリソースに関する前記情報のうちの前記少なくとも一方とを前記移動端末に送信する前記ステップの後に、前記方法が、
前記ソースセルにより、前記ハンドオーバ時点で前記移動端末との接続を切断するステップ
をさらに含む、請求項8に記載の方法。
【請求項１０】
前記ソースセルにより、前記ハンドオーバ時点で前記移動端末との接続を切断する前記ステップの前に、前記方法が、
前記ソースセルにより、前記移動端末のSN状態に関する情報を前記ターゲットセルに送信するステップ
をさらに含む、請求項9に記載の方法。
【請求項１１】
セルハンドオーバ方法であって、
ターゲットセルにより、モバイルエッジコンピューティングMECサーバによって送信される、移動端末の識別子と、前記移動端末がセルハンドオーバを実行するハンドオーバ時点に関する情報および前記移動端末のために前記ターゲットセルによって予約されるアップリンクリソースに関する情報のうちの少なくとも一方とを受信するステップと、
前記ターゲットセルにより、前記移動端末の前記識別子と前記ハンドオーバ時点および前記アップリンクリソースのうちの前記少なくとも一方とに基づいて前記移動端末との接続をセットアップするステップと
を含む方法。
【請求項１２】
前記ターゲットセルにより、前記移動端末の前記識別子と前記ハンドオーバ時点および前記アップリンクリソースのうちの前記少なくとも一方とに基づいて前記移動端末との接続をセットアップする前記ステップの前に、前記方法が、
前記ターゲットセルにより、ソースセルによって送信された前記移動端末のSN状態に関する情報を受信するステップ
をさらに含む、請求項11に記載の方法。
【請求項１３】
セルハンドオーバ方法であって、
移動端末により、ソースセルを使用して状態情報をモバイルエッジコンピューティングMECサーバに送信するステップであって、前記状態情報が前記移動端末の位置情報および速度情報を含み、前記MECサーバが前記ソースセルにサービスを提供し、前記ソースセルが前記移動端末にサービスを提供する、ステップと、
前記移動端末により、前記状態情報に基づいて前記MECサーバによって送信されたターゲットセルの識別子を受信するステップと、
前記移動端末により、前記ターゲットセルの前記識別子に基づいて前記ソースセルから前記ターゲットセルにハンドオーバするステップと
を含む方法。
【請求項１４】
前記方法が、
前記移動端末により、前記移動端末が前記ソースセルから前記ターゲットセルにハンドオーバするハンドオーバ時点に関する情報であって、前記状態情報に基づいて前記MECサーバによって送信された情報を受信するステップをさらに含み、
前記移動端末により、前記ターゲットセルの前記識別子に基づいて前記ソースセルから前記ターゲットセルにハンドオーバする前記ステップが、
前記移動端末により、前記ターゲットセルの前記識別子および前記ハンドオーバ時点に関する前記情報に基づいて前記ソースセルから前記ターゲットセルにハンドオーバするステップ
を含む、請求項13に記載の方法。
【請求項１５】
前記方法が、
前記移動端末により、前記移動端末のために前記ターゲットセルによって予約されるアップリンクリソースに関する情報であって、前記状態情報に基づいて前記MECサーバによって送信された情報を受信するステップ
をさらに含み、
前記移動端末により、前記ターゲットセルの前記識別子および前記ハンドオーバ時点に関する前記情報に基づいて前記ソースセルから前記ターゲットセルにハンドオーバする前記ステップが、
前記移動端末により、前記ターゲットセルの前記識別子、前記ハンドオーバ時点に関する前記情報、および前記アップリンクリソースに関する前記情報に基づいて前記ソースセルから前記ターゲットセルにハンドオーバするステップ
を含む、請求項14に記載の方法。
【請求項１６】
前記移動端末により、前記移動端末が前記ソースセルから前記ターゲットセルにハンドオーバするハンドオーバ時点に関する情報であって、前記状態情報に基づいて前記MECサーバによって送信された情報を受信する前記ステップの後に、前記方法が、
前記移動端末により、前記ハンドオーバ時点で前記ソースセルとの接続を切断するステップ
をさらに含む、請求項14または15に記載の方法。
【請求項１７】
セルハンドオーバ装置であって、
ソースセルによって送信される移動端末の状態情報を受信するように構成される受信ユニットであって、前記状態情報が位置情報および速度情報を含み、前記ソースセルが前記移動端末にサービスを提供し、MECサーバが前記ソースセルにサービスを提供する、受信ユニットと、
前記受信ユニットによって受信された前記状態情報に基づいてターゲットセルを決定するように構成される決定ユニットであって、前記MECサーバが前記ターゲットセルにサービスを提供し、前記ターゲットセルが前記ソースセルに隣接し、前記ターゲットセルのカバレッジが前記ソースセルのカバレッジと部分的に重複する、決定ユニットと、
前記決定ユニットによって決定された前記ターゲットセルの識別子を、前記ソースセルを使用して前記移動端末に送信するように構成される送信ユニットと
を備える装置。
【請求項１８】
前記装置が、
前記ソースセルと前記ターゲットセルとの間のハンドオーバ領域に関する情報を取得するように構成された取得ユニットであって、前記ハンドオーバ領域が前記移動端末のセルハンドオーバに使用される、取得ユニット
をさらに備え、
前記決定ユニットが、
前記状態情報および前記ハンドオーバ領域に関する前記情報に基づいて、前記移動端末のサービングセルが前記ソースセルから前記ターゲットセルに切り替えられるハンドオーバ時点を決定する
ようにさらに構成され、
前記送信ユニットが、
前記ソースセルを使用して前記ターゲットセルの前記識別子および前記ハンドオーバ時点に関する情報を前記移動端末に送信する
ように特に構成される、請求項17に記載の装置。
【請求項１９】
前記取得ユニットが、
試験に使用される試験移動端末のアップリンク信号を測定することによって前記ソースセルによって取得される第1の信号強度値と、前記アップリンク信号を測定することによって前記ターゲットセルによって取得される第2の信号強度値とを取得することであって、前記試験移動端末が前記ソースセルの前記カバレッジと前記ターゲットセルの前記カバレッジとの重複領域に位置する、ことと、
前記試験移動端末が通過する領域であって、前記第1の信号強度値と前記第2の信号強度値との差が第1の閾値未満となる領域を前記ハンドオーバ領域として決定することと
を行うように特に構成される、請求項18に記載の装置。
【請求項２０】
前記決定ユニットが、
前記状態情報と、前記ハンドオーバ領域に関する前記情報と、転移期間情報およびリソース構成情報のうちの少なくとも一方とに基づいて前記ハンドオーバ時点を決定することであって、前記転移期間情報が、前記移動端末のパケット・データ・コンバージェンス・プロトコルPDCPシーケンス番号SN状態を転移させるために前記ソースセルおよび前記ターゲットセルによって必要とされる期間を示すために使用され、前記リソース構成情報が、前記ターゲットセルのアップリンクリソースの現在の使用状況を示すために使用される、こと
を行うように特に構成される、請求項18または19に記載の装置。
【請求項２１】
前記決定ユニットが、
前記ハンドオーバ時点および前記ターゲットセルのアップリンクリソースの現在の使用状況に基づいて、前記移動端末のために前記ターゲットセルによって予約されるアップリンクリソースを決定する
ようにさらに構成され、
前記送信ユニットが、
前記ソースセルを使用して前記ターゲットセルの前記識別子、前記ハンドオーバ時点に関する前記情報、および前記アップリンクリソースに関する情報を前記移動端末に送信する
ように特に構成される、請求項18から20のいずれか一項に記載の装置。
【請求項２２】
前記送信ユニットが、
前記移動端末のために前記ターゲットセルによって予約される前記アップリンクリソースが前記ハンドオーバ時点および前記ターゲットセルの前記アップリンクリソースの前記現在の使用状況に基づいて決定された後に、前記移動端末の識別子、前記ハンドオーバ時点に関する前記情報、および前記アップリンクリソースに関する前記情報を前記ターゲットセルに送信する
ようにさらに構成される、請求項21に記載の装置。
【請求項２３】
セルハンドオーバ装置であって、
移動端末の状態情報をモバイルエッジコンピューティングMECサーバに送信するように構成される送信ユニットであって、前記状態情報が位置情報および速度情報を含み、前記MECサーバがソースセルにサービスを提供し、前記ソースセルが前記移動端末にサービスを提供する、送信ユニットと、
前記送信ユニットによって送信された前記状態情報に基づいて前記MECサーバによって送信されるターゲットセルの識別子を受信するように構成される受信ユニットと
を備え、
前記送信ユニットが、前記ターゲットセルの前記識別子を前記移動端末に送信するようにさらに構成される、装置。
【請求項２４】
前記受信ユニットが、
前記状態情報に基づいて前記MECサーバによって送信される、前記移動端末のサービングセルが前記ソースセルから前記ターゲットセルに切り替えられるハンドオーバ時点に関する情報および前記移動端末のために前記ターゲットセルによって予約されるアップリンクリソースに関する情報のうちの少なくとも一方を受信する
ようにさらに構成され、
前記送信ユニットが、
前記ターゲットセルの前記識別子と、前記ハンドオーバ時点に関する前記情報および前記アップリンクリソースに関する前記情報のうちの前記少なくとも一方とを前記移動端末に送信する
ように特に構成される、請求項23に記載の装置。
【請求項２５】
前記装置が、
前記ターゲットセルの前記識別子と、前記ハンドオーバ時点に関する前記情報および前記アップリンクリソースに関する前記情報のうちの前記少なくとも一方とが前記移動端末に送信された後に、前記ハンドオーバ時点で前記移動端末との接続を切断するように構成される処理ユニット
をさらに備える、請求項24に記載の装置。
【請求項２６】
前記送信ユニットが、
前記移動端末との前記接続が前記ハンドオーバ時点で切断される前に、前記移動端末のSN状態に関する情報を前記ターゲットセルに送信する
ようにさらに構成される、請求項25に記載の装置。
【請求項２７】
セルハンドオーバ装置であって、
モバイルエッジコンピューティングMECサーバによって送信される、移動端末の識別子と、前記移動端末がセルハンドオーバを実行するハンドオーバ時点に関する情報および前記移動端末のためにターゲットセルによって予約されるアップリンクリソースに関する情報のうちの少なくとも一方とを受信するように構成される受信ユニットと、
前記受信ユニットによって受信された、前記移動端末の前記識別子と前記ハンドオーバ時点および前記アップリンクリソースのうちの前記少なくとも一方とに基づいて前記移動端末との接続をセットアップするように構成される接続ユニットと
を備える装置。
【請求項２８】
前記受信ユニットが、
前記移動端末との前記接続が前記移動端末の前記識別子と前記ハンドオーバ時点および前記アップリンクリソースのうちの前記少なくとも一方とに基づいてセットアップされる前に、ソースセルによって送信される前記移動端末のSN状態に関する情報を受信する
ようにさらに構成される、請求項27に記載の装置。
【請求項２９】
セルハンドオーバ装置であって、
ソースセルを使用して状態情報をモバイルエッジコンピューティングMECサーバに送信するように構成される送信ユニットであって、前記状態情報が移動端末の位置情報および速度情報を含み、前記MECサーバが前記ソースセルにサービスを提供し、前記ソースセルが前記移動端末にサービスを提供する、送信ユニットと、
前記送信ユニットによって送信された前記状態情報に基づいて前記MECサーバによって送信されるターゲットセルの識別子を受信するように構成される受信ユニットと、
前記受信ユニットによって受信された前記ターゲットセルの前記識別子に基づいて前記ソースセルから前記ターゲットセルにハンドオーバするように構成されるハンドオーバユニットと
を備える装置。
【請求項３０】
前記受信ユニットが、
前記移動端末が前記ソースセルから前記ターゲットセルにハンドオーバするハンドオーバ時点に関する情報であって、前記状態情報に基づいて前記MECサーバによって送信される情報を受信する
ようにさらに構成され、
前記ハンドオーバユニットが、
前記ターゲットセルの前記識別子および前記ハンドオーバ時点に関する前記情報に基づいて、前記移動端末によって前記ソースセルから前記ターゲットセルにハンドオーバする
ように特に構成される、請求項29に記載の装置。
【請求項３１】
前記受信ユニットが、
前記移動端末のために前記ターゲットセルによって予約されるアップリンクリソースに関する情報であって、前記状態情報に基づいて前記MECサーバによって送信される情報を受信する
ようにさらに構成され、
前記ハンドオーバユニットが、
前記ターゲットセルの前記識別子、前記ハンドオーバ時点に関する前記情報、および前記アップリンクリソースに関する前記情報に基づいて前記ソースセルから前記ターゲットセルにハンドオーバする
ように特に構成される、請求項30に記載の装置。
【請求項３２】
前記装置が、
前記移動端末が前記ソースセルから前記ターゲットセルにハンドオーバする前記ハンドオーバ時点に関する前記情報であって、前記状態情報に基づいて前記MECサーバによって送信された前記情報を前記移動端末が受信した後に、前記ハンドオーバ時点で前記ソースセルとの接続を切断するように構成される処理ユニット
をさらに備える、請求項30または31に記載の装置。
【発明の詳細な説明】
【技術分野】
【０００１】
本願は、2016年11月14日に中国特許庁に提出された、「セルハンドオーバ方法、装置、およびシステム」という名称の中国特許出願第201610998903.2号の優先権を主張し、その全体は参照により本明細書に組み込まれる。
【０００２】
本願の実施形態は、通信分野に関し、より具体的には、通信分野におけるセルハンドオーバ方法、装置、およびシステムに関する。
【背景技術】
【０００３】
モバイルエッジコンピューティング（mobile edge computing、MEC）は、第5世代（5G）進化型アーキテクチャに基づいてワイヤレスネットワークとインターネットサービスとを深く統合する、欧州電気通信標準化機構によって提案された技術である。MECは、モバイルネットワークのエッジに配置される近接コンピューティングアーキテクチャであり、無線アクセスネットワークを使用して端末ユーザにモバイルクラウドコンピューティングサービスをすぐ近くで提供することができる。
【０００４】
高度道路交通システム（intelligent transport system、ITS）は、高度な情報技術、データ通信伝送技術、センサ技術、埋め込み技術、電子制御技術、コンピュータ処理技術、分散コンピュータ技術、およびクラウドコンピューティング技術などを道路交通管理に応用することによって確立される正確で効率的なリアルタイムの統合道路交通管理システムである。
【０００５】
高度道路交通サービスは、交通安全および効率的な車両管理に関わり、したがって、高度道路交通サービスには、待ち時間および信頼性に関して比較的高い要求がある。通常、安全メッセージの伝播待ち時間は10ms未満に制御される必要がある。信頼性の観点からは、比較的高いパケット送信率と比較的高いパケット受信率を確保する必要がある。高速道路のシナリオでは、車両の移動速度と情報の更新頻度はどちらも高い。したがって、車両のモビリティ管理、特に高速セルハンドオーバを強化する必要がある。
【０００６】
従来のセルハンドオーバ方法は、端末とソース基地局とのやりとりを通じて遂行される。ソース基地局は、測定制御メッセージを端末に送信する。ユーザは、受信した測定制御情報に基づいてすべての可能なターゲットセルのそれぞれのダウンリンクパイロット信号を測定し、すべての可能なターゲットセルの測定報告をソース基地局に送信する。ソース基地局は、測定報告に基づいてすべての可能なターゲットセルの中で、端末が最終的にハンドオーバするターゲットセルを決定する。
【０００７】
既存のセルハンドオーバ手順では、ソース基地局は、最終ターゲットセルを決定するために、すべての可能なターゲットセルを複数回測定する必要がある。したがって、プロセスは比較的複雑であり、ハンドオーバ効率は比較的低い。
【発明の概要】
【課題を解決するための手段】
【０００８】
本願は、セルハンドオーバの効率を向上させるためのセルハンドオーバ方法、装置、およびシステムを提供する。
【０００９】
第1の態様によれば、本願は、セルハンドオーバ方法を提供し、本方法は、
モバイルエッジコンピューティングMECサーバにより、ソースセルによって送信された移動端末の状態情報を受信するステップであって、状態情報が位置情報および速度情報を含み、ソースセルが移動端末にサービスを提供し、MECサーバがソースセルにサービスを提供する、ステップと、
MECサーバにより、状態情報に基づいてターゲットセルを決定するステップであって、MECサーバがターゲットセルにサービスを提供し、ターゲットセルがソースセルに隣接し、ターゲットセルのカバレッジがソースセルのカバレッジと部分的に重複する、ステップと、
MECサーバにより、ソースセルを使用してターゲットセルの識別子を移動端末に送信するステップと
を含む。
【００１０】
本願で提供されるセルハンドオーバ方法によれば、セルハンドオーバの効率を向上させるために、MECサーバは、移動端末の位置情報および速度情報に基づいてターゲットセルを決定し、ターゲットセルの識別子を移動端末に送信し、これにより、移動端末はターゲットセルにハンドオーバする。
【００１１】
本願のこの実施形態では、ソースセルおよびターゲットセルが異なる基地局に属し得ることを理解されたい。MECサーバは、これらの基地局の上位ネットワークノードと見なすことができ、複数の連続するセルをカバーすることができる。MECサーバは、効率的で信頼できる通信を実施するために、MECサーバのカバレッジ内の複数のセルに有線方式で接続される。
【００１２】
さらに、移動端末がMECサーバのカバレッジのエッジで2つのセル間を横切るときに存在する可能性がある、移動端末のハンドオーバ性能が低いという問題を考慮して、有線接続は、特に、エッジセルと、エッジセルの近傍にある2つの隣接するMECサーバのそれぞれとの間でセットアップされる。このMECエッジサーバ配置方法によれば、任意の2つの隣接セル間での移動端末のハンドオーバは、同じMECサーバのカバレッジ内でのハンドオーバと見なすことができる。セルハンドオーバの信頼性および効率を向上させるために、移動端末のハンドオーバプロセスは、対応するMECサーバによって計算および制御することができる。
【００１３】
第1の態様に関連して、第1の態様の第1の可能な実施態様では、本方法は、MECサーバにより、ソースセルとターゲットセルとの間のハンドオーバ領域に関する情報を取得するステップであって、ハンドオーバ領域が移動端末のセルハンドオーバに使用される、ステップと、MECサーバにより、状態情報およびハンドオーバ領域に関する情報に基づいて、移動端末のサービングセルがソースセルからターゲットセルに切り替えられるハンドオーバ時点を決定するステップとをさらに含む。MECサーバにより、ソースセルを使用してターゲットセルの識別子を移動端末に送信するステップは、MECサーバにより、ソースセルを使用してターゲットセルの識別子およびハンドオーバ時点に関する情報を移動端末に送信するステップを含む。
【００１４】
本願で提供されるセルハンドオーバ方法によれば、MECサーバは、ハンドオーバ効率をさらに向上させるために、ソースセルとターゲットセルとの間のハンドオーバ領域に関する情報および移動端末の状態情報に基づいてハンドオーバ時点を決定し、ハンドオーバ時点およびターゲットセルの識別子を移動端末に送信し、これにより、移動端末は、ハンドオーバ時点でターゲットセルにハンドオーバする。
【００１５】
本願で提供されるセルハンドオーバ方法によれば、ハンドオーバ効率を向上させ、ハンドオーバプロセスをよりスムーズにするために、ハンドオーバ時点を把握した後に、ソースセルおよびターゲットセルは、セルハンドオーバを事前に準備してもよい。
【００１６】
任意選択で、MECサーバは、移動端末の移動経路情報を取得してもよい。移動経路情報は、出発地から目的地までの移動端末の移動経路を示すために使用される。MECサーバは、状態情報および移動経路情報に基づいてターゲットセルを決定する。
【００１７】
任意選択で、MECサーバは、クラウドサーバに記憶されている移動端末の移動経路情報を取得してもよい。代替的に、MECサーバは、移動経路要求をMECサーバに送信し、移動経路要求に基づいて移動端末によって送信された移動端末の移動経路情報を受信してもよい。これは本願のこの実施形態では限定されない。
【００１８】
本願で提供されるセルハンドオーバ方法によれば、MECサーバは、道路シナリオの予測可能性に基づいてセルハンドオーバの効率および信頼性を向上させるために、移動端末の位置情報および速度情報と、移動端末の移動経路情報とに基づいてターゲットセルを決定してもよい。
【００１９】
任意選択で、MECサーバは、代替的に、ソースセルとターゲットセルとの重複領域に関する情報を取得してもよい。重複領域に関する情報は、ソースセルのカバレッジとターゲットセルのカバレッジとの重複部分を示すために使用される。MECサーバは、状態情報および重複領域に関する情報に基づいてターゲットセルを決定する。これは本願では限定されない。
【００２０】
任意選択で、MECサーバは、MECサーバのカバレッジ内の任意の2つの隣接セルの重複領域に関する情報を予め記憶してもよい。代替的に、MECサーバは、ソースセルから、ソースセルとソースセルに隣接する別のセルとの重複領域に関する情報を要求してもよい。これは本願のこの実施形態では限定されない。
【００２１】
本願で提供されるセルハンドオーバ方法によれば、MECサーバは、セルハンドオーバの効率および信頼性をさらに向上させるために、移動端末の位置情報および速度情報と、移動端末の移動経路情報と、道路環境情報とに基づいてターゲットセルを決定してもよい。
【００２２】
任意選択で、MECサーバは、クラウドサーバからリアルタイム道路環境情報をさらに取得してもよい。道路環境情報は、移動端末の移動経路の道路混雑状態および道路障害物状態と、近くの別の移動端末の移動状態に関する情報とを含む。
【００２３】
本願で提供されるセルハンドオーバ方法によれば、MECサーバは、セルハンドオーバの効率および信頼性をさらに向上させるために、移動端末の位置情報および速度情報と、移動端末の移動経路情報と、道路環境情報とに基づいてターゲットセルを決定してもよい。
【００２４】
第1の態様の第1の可能な実施態様に関連して、第1の態様の第2の可能な実施態様では、MECサーバにより、ソースセルとターゲットセルとの間のハンドオーバ領域に関する情報を取得するステップであって、ハンドオーバ領域が移動端末のセルハンドオーバに使用される、ステップは、MECサーバにより、試験に使用される試験移動端末のアップリンク信号を測定することによってソースセルによって取得される第1の信号強度値と、アップリンク信号を測定することによってターゲットセルによって取得される第2の信号強度値とを取得するステップであって、試験移動端末がソースセルのカバレッジとターゲットセルのカバレッジとの重複領域に位置する、ステップと、MECサーバにより、試験移動端末が通過する領域であって、第1の信号強度値と第2の信号強度値との差が第1の閾値未満となる領域をハンドオーバ領域として決定するステップとを含む。
【００２５】
本願で提供されるセルハンドオーバ方法によれば、MECサーバは、2つのセル基地局からの、端末によって受信された信号強度がソースセルとターゲットセルとの重複領域で近似する位置点を含むハンドオーバ領域を取得するために、試験移動端末のアップリンク信号を複数回測定することによってソースセルおよびターゲットセルによって取得される測定結果を取得する。セルハンドオーバは、セルハンドオーバの成功率を向上させるためにハンドオーバ領域で実行される。
【００２６】
第1の態様の第1または第2の可能な実施態様に関連して、第1の態様の第3の可能な実施態様では、MECサーバにより、状態情報およびハンドオーバ領域に関する情報に基づいて、移動端末のサービングセルがソースセルからターゲットセルに切り替えられるハンドオーバ時点を決定するステップは、MECサーバにより、状態情報と、ハンドオーバ領域に関する情報と、転移期間情報およびリソース構成情報のうちの少なくとも一方とに基づいてハンドオーバ時点を決定するステップを含む。転移期間情報は、移動端末のパケット・データ・コンバージェンス・プロトコルPDCPシーケンス番号SN状態を転移させるためにソースセルおよびターゲットセルによって必要とされる期間を示すために使用され、リソース構成情報は、ターゲットセルのアップリンクリソースの現在の使用状況を示すために使用される。
【００２７】
本願で提供されるセルハンドオーバ方法によれば、ハンドオーバ時点になる前にソースセルおよびターゲットセルがSN状態の転移を確実に完了するようにするために、ソースセルおよびターゲットセルによって移動端末のSN状態を転移させる期間が、MECサーバがハンドオーバ時点を決定するときに考慮され、これにより、第1の端末は、ハンドオーバ時点でセルハンドオーバをスムーズに実行することができ、このため、セルハンドオーバプロセスにおけるユーザ体験の質が向上する。
【００２８】
第1の態様の第1から第3の可能な実施態様のいずれか1つに関連して、第1の態様の第4の可能な実施態様では、本方法は、MECサーバにより、ハンドオーバ時点およびターゲットセルのアップリンクリソースの現在の使用状況に基づいて、移動端末のためにターゲットセルによって予約されるアップリンクリソースを決定するステップをさらに含む。MECサーバにより、ソースセルを使用してターゲットセルの識別子およびハンドオーバ時点に関する情報を移動端末に送信するステップは、MECサーバにより、ソースセルを使用してターゲットセルの識別子、ハンドオーバ時点に関する情報、およびアップリンクリソースに関する情報を移動端末に送信するステップを含む。
【００２９】
本願で提供されるセルハンドオーバ方法によれば、セルハンドオーバの効率を向上させるために、MECサーバは、ターゲットセルのアップリンクリソースの現在の使用状況およびハンドオーバ時点に基づいて、ハンドオーバ時点で使用されるターゲットセルのアイドルリソースを決定し、ターゲットセルがハンドオーバ時点の、移動端末用のアイドルリソースを予約することを可能にする。
【００３０】
第1の態様の第4の可能な実施態様に関連して、第1の態様の第5の可能な実施態様では、MECサーバにより、ハンドオーバ時点およびターゲットセルのアップリンクリソースの現在の使用状況に基づいて、移動端末のためにターゲットセルによって予約されるアップリンクリソースを決定するステップの後に、本方法は、MECサーバにより、移動端末の識別子、ハンドオーバ時点に関する情報、およびアップリンクリソースに関する情報をターゲットセルに送信するステップをさらに含む。
【００３１】
本願で提供されるセルハンドオーバ方法によれば、MECサーバは、移動端末の識別子、ハンドオーバ時点に関する情報、および予約されるアップリンクリソースに関する情報をターゲットセルに通知する。ターゲットセルのリソース利用率を向上させるために、ターゲットセルは、ハンドオーバ時点の、移動端末用のリソースを予約するだけでよい。
【００３２】
第1の態様の第1から第5の可能な実施態様のいずれか1つに関連して、第1の態様の第6の可能な実施態様では、本方法は、MECサーバにより、ソースセルのシステムタイミングおよびターゲットセルのシステムタイミングを取得するステップと、MECサーバにより、ソースセルのシステムタイミングとターゲットセルのシステムタイミングとの差に基づいて移動端末のタイミングアドバンスを決定するステップとをさらに含む。タイミングアドバンスは、ターゲットセルと同期するために移動端末によって使用される。MECサーバにより、ソースセルを使用してターゲットセルの識別子およびハンドオーバ時点に関する情報を移動端末に送信するステップは、MECサーバにより、ソースセルを使用してターゲットセルの識別子、ハンドオーバ時点に関する情報、およびタイミングアドバンスに関する情報を移動端末に送信するステップを含む。
【００３３】
本願で提供されるセルハンドオーバ方法によれば、MECサーバは、ソースセルおよびターゲットセルのタイミングアドバンスを移動端末に送信し、これにより、移動端末は、タイミングアドバンスに基づいて移動端末のタイミングを調整し、ターゲットセルとのダウンリンク同期を確立する。
【００３４】
さらに、移動端末は、ターゲットセルとのアップリンク同期を自動的に確立するために、ターゲットセルによって送信される一次信号、二次信号、および基準信号などを受信してもよい。これは本願では限定されない。
【００３５】
第2の態様によれば、本願は、セルハンドオーバ方法を提供し、本方法は、
ソースセルにより、移動端末の状態情報をモバイルエッジコンピューティングMECサーバに送信するステップであって、状態情報が位置情報および速度情報を含み、MECサーバがソースセルにサービスを提供し、ソースセルが移動端末にサービスを提供する、ステップと、
ソースセルにより、状態情報に基づいてMECサーバによって送信されたターゲットセルの識別子を受信するステップと、
ソースセルにより、ターゲットセルの識別子を移動端末に送信するステップと
を含む。
【００３６】
本願で提供されるセルハンドオーバ方法によれば、ソースセルは、移動端末の状態情報をMECサーバに報告し、状態情報に基づいてMECサーバによって送信されるターゲットセルの識別子を受信し、ターゲットセルの識別子を移動端末に送信し、これにより、移動端末は、ターゲットセルの識別子に基づいてセルハンドオーバを実行する。
【００３７】
第2の態様に関連して、第2の態様の第1の可能な実施態様では、本方法は、ソースセルにより、状態情報に基づいてMECサーバによって送信された、移動端末のサービングセルがソースセルからターゲットセルに切り替えられるハンドオーバ時点に関する情報および移動端末のためにターゲットセルによって予約されるアップリンクリソースに関する情報のうちの少なくとも一方を受信するステップをさらに含む。ソースセルにより、ターゲットセルの識別子を移動端末に送信するステップは、ソースセルにより、ターゲットセルの識別子と、ハンドオーバ時点に関する情報およびアップリンクリソースに関する情報のうちの少なくとも一方とを移動端末に送信するステップを含む。
【００３８】
本願で提供されるセルハンドオーバ方法によれば、セルハンドオーバの効率および信頼性を向上させるために、ソースセルは、ターゲットセルの識別子と、ハンドオーバ時点に関する情報およびアップリンクリソースに関する情報のうちの少なくとも一方とを移動端末に送信し、これにより、移動端末は、前述の情報に基づいてターゲットセルとの接続をセットアップする。
【００３９】
第2の態様の第1の可能な実施態様に関連して、第2の態様の第2の可能な実施態様では、ソースセルにより、ターゲットセルの識別子と、ハンドオーバ時点に関する情報およびアップリンクリソースに関する情報のうちの少なくとも一方とを移動端末に送信するステップの後に、本方法は、ソースセルにより、ハンドオーバ時点で移動端末との接続を切断するステップをさらに含む。
【００４０】
本願で提供されるセルハンドオーバ方法によれば、ソースセルとターゲットセルとの間でのスムーズなハンドオーバを実施し、セルハンドオーバプロセスにおけるユーザ体験の質を向上させるために、ソースセルは、ハンドオーバ時点で移動端末との接続を切断し、第1の端末デバイスは、ターゲットセルとの新しい接続をセットアップする。
【００４１】
任意選択で、ソースセルのRRCリソースの利用率を向上させるために、ターゲットセルの識別子と、ハンドオーバ時点に関する情報およびアップリンクリソースに関する情報のうちの少なくとも一方とを移動端末に送信した後、ソースセルは、移動端末によって使用されているRRCリソースをハンドオーバ時点で自動的に解放する。
【００４２】
第2の態様の第2の可能な実施態様に関連して、第2の態様の第3の可能な実施態様では、ソースセルにより、ハンドオーバ時点で移動端末との接続を切断するステップの前に、本方法は、ソースセルにより、移動端末のSN状態に関する情報をターゲットセルに送信するステップをさらに含む。
【００４３】
本願で提供されるセルハンドオーバ方法によれば、セルハンドオーバの効率を向上させるために、ソースセルおよびターゲットセルは、ハンドオーバ時点の前に移動端末のSN状態の転移を完了して、従来技術のハンドオーバプロセスでSN状態を転移させるためにソースセルおよびターゲットセルによって必要とされる時間を除去する。
【００４４】
第3の態様によれば、本願は、セルハンドオーバ方法を提供し、本方法は、
ターゲットセルにより、モバイルエッジコンピューティングMECサーバによって送信される、移動端末の識別子と、移動端末がセルハンドオーバを実行するハンドオーバ時点に関する情報および移動端末のためにターゲットセルによって予約されるアップリンクリソースに関する情報のうちの少なくとも一方とを受信するステップと、
ターゲットセルにより、移動端末の識別子とハンドオーバ時点に関する情報およびアップリンクリソースに関する情報のうちの少なくとも一方とに基づいて移動端末との接続をセットアップするステップと
を含む。
【００４５】
本願で提供されるセルハンドオーバ方法によれば、ターゲットセルは、ターゲットセルのリソース利用率およびセルハンドオーバの信頼性を向上させるために、MECサーバによって送信される、移動端末の識別子と、ハンドオーバ時点に関する情報およびアップリンクリソースに関する情報のうちの少なくとも一方とに基づいて移動端末との接続をセットアップする。
【００４６】
第3の態様に関連して、第3の態様の第1の可能な実施態様では、ターゲットセルにより、移動端末の識別子とハンドオーバ時点に関する情報およびアップリンクリソースに関する情報のうちの少なくとも一方とに基づいて移動端末との接続をセットアップするステップの前に、本方法は、ターゲットセルにより、ソースセルによって送信された移動端末のSN状態に関する情報を受信するステップをさらに含む。
【００４７】
本願で提供されるセルハンドオーバ方法によれば、セルハンドオーバの効率を向上させるために、ターゲットセルおよびソースセルは、ハンドオーバ時点の前に移動端末のSN状態の転移を完了して、従来技術のハンドオーバプロセスでSN状態を転移させるためにソースセルおよびターゲットセルによって必要とされる時間を除去する。
【００４８】
第4の態様によれば、本願は、セルハンドオーバ方法を提供し、本方法は、
移動端末により、ソースセルを使用して状態情報をモバイルエッジコンピューティングMECサーバに送信するステップであって、状態情報が移動端末の位置情報および速度情報を含み、MECサーバがソースセルにサービスを提供し、ソースセルが移動端末にサービスを提供する、ステップと、
移動端末により、状態情報に基づいてMECサーバによって送信されたターゲットセルの識別子を受信するステップと、
移動端末により、ターゲットセルの識別子に基づいてソースセルからターゲットセルにハンドオーバするステップと
を含む。
【００４９】
本願で提供されるセルハンドオーバ方法によれば、移動端末は、セルハンドオーバの効率を向上させるために、ソースセルを使用して状態情報をMECサーバに報告し、状態情報に基づいてMECサーバによって送信されるターゲットセルの識別子に基づいてソースセルからターゲットセルにハンドオーバする。
【００５０】
第4の態様に関連して、第4の態様の第1の可能な実施態様では、本方法は、移動端末により、移動端末がソースセルからターゲットセルにハンドオーバするハンドオーバ時点に関する情報であって、状態情報に基づいてMECサーバによって送信された情報を受信するステップをさらに含む。移動端末により、ターゲットセルの識別子に基づいてソースセルからターゲットセルにハンドオーバするステップは、移動端末により、ターゲットセルの識別子およびハンドオーバ時点に関する情報に基づいてソースセルからターゲットセルにハンドオーバするステップを含む。
【００５１】
本願で提供されるセルハンドオーバ方法によれば、セルハンドオーバの効率をさらに向上させるために、移動端末は、ターゲットセルの識別子およびハンドオーバ時点に関する情報に基づいてソースセルからターゲットセルにハンドオーバするため、移動端末は、ソースセルからターゲットセルにスムーズにハンドオーバすることができる。
【００５２】
第4の態様の第1の可能な実施態様に関連して、第1の態様の第2の可能な実施態様では、本方法は、移動端末により、移動端末のためにターゲットセルによって予約されるアップリンクリソースに関する情報であって、状態情報に基づいてMECサーバによって送信された情報を受信するステップをさらに含む。移動端末により、ターゲットセルの識別子およびハンドオーバ時点に関する情報に基づいてソースセルからターゲットセルにハンドオーバするステップは、ターゲットセルの識別子、ハンドオーバ時点に関する情報、およびアップリンクリソースに関する情報に基づいてソースセルからターゲットセルにハンドオーバするステップを含む。
【００５３】
本願で提供されるセルハンドオーバ方法によれば、移動端末は、セルハンドオーバの効率を向上させ、ユーザ体験の質を向上させるために、ターゲットセルの識別子と、ハンドオーバ時点に関する情報と、アップリンクリソースに関する情報とに基づいてソースセルからターゲットセルにハンドオーバする。
【００５４】
第4の態様の第1または第2の可能な実施態様に関連して、第4の態様の第3の可能な実施態様では、移動端末により、移動端末がソースセルからターゲットセルにハンドオーバするハンドオーバ時点に関する情報であって、状態情報に基づいてMECサーバによって送信された情報を受信するステップの後に、本方法は、移動端末により、ハンドオーバ時点でソースセルとの接続を切断するステップをさらに含む。
【００５５】
第5の態様によれば、本願は、第1の態様または第1の態様の任意の可能な実施態様によるセルハンドオーバ方法を実行するように構成されるセルハンドオーバ装置を提供する。具体的には、この装置は、第1の態様または第1の態様の任意の可能な実施態様によるセルハンドオーバ方法を実行するように構成されるユニットを含む。
【００５６】
第6の態様によれば、本願は、第2の態様または第2の態様の任意の可能な実施態様によるセルハンドオーバ方法を実行するように構成されるセルハンドオーバ装置を提供する。具体的には、この装置は、第2の態様または第2の態様の任意の可能な実施態様によるセルハンドオーバ方法を実行するように構成されるユニットを含む。
【００５７】
第7の態様によれば、本願は、第3の態様または第3の態様の任意の可能な実施態様によるセルハンドオーバ方法を実行するように構成されるセルハンドオーバ装置を提供する。具体的には、この装置は、第3の態様または第3の態様の任意の可能な実施態様によるセルハンドオーバ方法を実行するように構成されるユニットを含む。
【００５８】
第8の態様によれば、本願は、第4の態様または第4の態様の任意の可能な実施態様によるセルハンドオーバ方法を実行するように構成されるセルハンドオーバ装置を提供する。具体的には、この装置は、第4の態様または第4の態様の任意の可能な実施態様によるセルハンドオーバ方法を実行するように構成されるユニットを含む。
【００５９】
第9の態様によれば、本願は、セルハンドオーバ装置を提供する。この装置は、受信機と、送信機と、メモリと、プロセッサと、バスシステムとを含む。受信機、送信機、メモリ、およびプロセッサは、バスシステムを使用して接続される。メモリは、命令を記憶するように構成される。プロセッサは、メモリに記憶された命令を実行し、信号を送信するように送信機を制御するように構成される。さらに、プロセッサがメモリに記憶された命令を実行すると、この実行により、プロセッサは、第1の態様または第1の態様の任意の可能な実施態様による通信方法を実行することができる。
【００６０】
第10の態様によれば、本願は、セルハンドオーバ装置を提供する。この装置は、受信機と、送信機と、メモリと、プロセッサと、バスシステムとを含む。受信機、送信機、メモリ、およびプロセッサは、バスシステムを使用して接続される。メモリは、命令を記憶するように構成される。プロセッサは、メモリに記憶された命令を実行し、信号を送信するように送信機を制御するように構成される。さらに、プロセッサがメモリに記憶された命令を実行すると、この実行により、プロセッサは、第2の態様または第2の態様の任意の可能な実施態様による通信方法を実行することができる。
【００６１】
第11の態様によれば、本願は、セルハンドオーバ装置を提供する。この装置は、受信機と、送信機と、メモリと、プロセッサと、バスシステムとを含む。受信機、送信機、メモリ、およびプロセッサは、バスシステムを使用して接続される。メモリは、命令を記憶するように構成される。プロセッサは、メモリに記憶された命令を実行し、信号を送信するように送信機を制御するように構成される。さらに、プロセッサがメモリに記憶された命令を実行すると、この実行により、プロセッサは、第3の態様または第3の態様の任意の可能な実施態様による通信方法を実行することができる。
【００６２】
第12の態様によれば、本願は、セルハンドオーバ装置を提供する。この装置は、受信機と、送信機と、メモリと、プロセッサと、バスシステムとを含む。受信機、送信機、メモリ、およびプロセッサは、バスシステムを使用して接続される。メモリは、命令を記憶するように構成される。プロセッサは、メモリに記憶された命令を実行し、信号を送信するように送信機を制御するように構成される。さらに、プロセッサがメモリに記憶された命令を実行すると、この実行により、プロセッサは、第4の態様または第4の態様の任意の可能な実施態様による通信方法を実行することができる。
【００６３】
第13の態様によれば、本願は、コンピュータプログラムを記憶するように構成されたコンピュータ可読媒体を提供する。このコンピュータプログラムは、第1の態様または第1の態様の任意の可能な実施態様による通信方法を実行するために使用される命令を含む。
【００６４】
第14の態様によれば、本願は、コンピュータプログラムを記憶するように構成されたコンピュータ可読媒体を提供する。このコンピュータプログラムは、第2の態様または第2の態様の任意の可能な実施態様による通信方法を実行するために使用される命令を含む。
【００６５】
第15の態様によれば、本願は、コンピュータプログラムを記憶するように構成されたコンピュータ可読媒体を提供する。このコンピュータプログラムは、第3の態様または第3の態様の任意の可能な実施態様による通信方法を実行するために使用される命令を含む。
【００６６】
第16の態様によれば、本願は、コンピュータプログラムを記憶するように構成されたコンピュータ可読媒体を提供する。このコンピュータプログラムは、第4の態様または第4の態様の任意の可能な実施態様による通信方法を実行するために使用される命令を含む。
【００６７】
第17の態様によれば、本願は、セルハンドオーバシステムを提供する。具体的には、このシステムは、第1の態様または第1の態様の任意の可能な実施態様による方法を実行するように構成されるユニットと、第2の態様または第2の態様の任意の可能な実施態様による方法を実行するように構成されるユニットと、第3の態様または第3の態様の任意の可能な実施態様による方法を実行するように構成されるユニットと、第4の態様または第4の態様の任意の可能な実施態様による方法を実行するように構成されるユニットとを含む。
【図面の簡単な説明】
【００６８】
【図１】本願の一実施形態による直線道路シナリオの概略アーキテクチャ図である。
【図２】本願の一実施形態による交差道路シナリオの概略アーキテクチャ図である。
【図３】本願の一実施形態によるセルハンドオーバ方法の概略フローチャートである。
【図４】本願の一実施形態による別のセルハンドオーバ方法の概略フローチャートである。
【図５】本願の一実施形態によるセルハンドオーバ装置の概略ブロック図である。
【図６】本願の一実施形態による別のセルハンドオーバ装置の概略ブロック図である。
【図７】本願の一実施形態によるさらに別のセルハンドオーバ装置の概略ブロック図である。
【図８】本願の一実施形態によるさらに別のセルハンドオーバ装置の概略ブロック図である。
【図９】本願の一実施形態によるさらに別のセルハンドオーバ装置の概略ブロック図である。
【図１０】本願の一実施形態によるさらに別のセルハンドオーバ装置の概略ブロック図である。
【図１１】本願の一実施形態によるさらに別のセルハンドオーバ装置の概略ブロック図である。
【図１２】本願の一実施形態によるさらに別のセルハンドオーバ装置の概略ブロック図である。
【発明を実施するための形態】
【００６９】
本願の実施形態における技術的解決策は、本願の実施形態に関する添付の図面を参照して以下に説明される。
【００７０】
本願の実施形態の技術的解決策は、グローバル・システム・フォー・モバイル・コミュニケーションズ（global system of mobile communication、GSM（登録商標））システム、符号分割多元接続（code division multiple access、CDMA）システム、広帯域符号分割多元接続（wideband code division multiple access、WCDMA（登録商標））システム、汎用パケット無線サービス（general packet radio service、GPRS）、ロングタームエボリューション（long term evolution、LTE）システム、LTE周波数分割複信（frequency division duplex、FDD）システム、LTE時分割複信（time division duplex、TDD）、ユニバーサル移動体通信システム（universal mobile telecommunication system、UMTS）、ワールドワイド・インターオペラビリティ・フォー・マイクロウェーブ・アクセス（worldwide interoperability for microwave access、WiMAX）通信システム、および将来の通信システムなどの様々な通信システムに適用されてもよいことを理解されたい。
【００７１】
本願の実施形態では、移動端末（mobile terminal）は、端末（terminal）、移動局（mobile station、MS）、およびユーザ機器（user equipment、UE）などと呼ばれる場合があることも理解されたい。移動端末は、無線アクセスネットワーク（radio access network、RAN）を介して1つ以上のコアネットワークと通信することができる。例えば、移動端末は、移動電話（「セルラー」電話とも呼ばれる）または移動端末を備えたコンピュータであってもよい。例えば、ユーザ機器はまた、無線アクセスネットワークと音声および／またはデータを交換する、携帯型の、ポケットサイズの、手持ち型の、コンピュータ内蔵型の、または車載型の移動装置であってもよい。
【００７２】
本願の実施形態では、アクセスネットワークデバイスは、GSM（登録商標）またはCDMAにおける基地局コントローラ（base station controller、BSC）であってもよいし、WCDMA（登録商標）における無線ノードコントローラ（radio node controller、RNC）であってもよいし、LTEにおける発展型ノードB（Evolved node B、eNBまたはe-NodeB）であってもよい。これは本願では限定されない。しかしながら、説明を容易にするために、一例としてeNBを使用して、以下の実施形態を説明する。
【００７３】
モバイルエッジコンピューティング（mobile edge computing、MEC）サーバは、モバイルネットワークのエッジに配置される近接コンピューティングアーキテクチャであり、モバイルネットワークのエッジでビッグデータサービス、モノのインターネットのサービス、およびデータサービスを提供し、新しいサービスを迅速に展開するためにオープンなアプリケーションプログラミングインタフェース（application programming interface、API）を第三者に提供する。例えば、MECサーバは、ワイヤレスネットワーク情報および移動端末の状態情報をリアルタイムで取得することにより、車両のインターネットのシステムの負荷を大幅に軽減し、移動端末をより効率的かつ確実に制御し、多様なサービスを移動端末に提供することができる。
【００７４】
任意選択の実施形態では、MECサーバは、基地局にまたは基地局の周囲に配置される低コストの小型サーバを使用することによって、高効率かつ低待ち時間のキャリアグレードのサービス環境を形成することにより、道路交通ネットワークの帯域幅使用量を低減し、ネットワークセンターの負荷を平衡化し、コンテンツ配信システムの応答時間を短縮することができ、これにより、ユーザ機器は、継続的な高品質のネットワーク体験を持つ。
【００７５】
別の任意選択の実施形態では、MECサーバは、クラウドコンピューティング機能およびクラウドストレージ機能を近くの基地局にさらに移し、第三者のためにアプリケーション統合を準備し、これにより、基地局サービスのインテリジェンスを促進し、モバイルエッジ進入のサービス革新のためにプラットフォームを提供することができる。
【００７６】
本願の実施形態をEPSシステムに適用した例を使用して説明を行うが、本願はこれに限定されないことを理解されたい。さらに、「システム」および「ネットワーク」という用語は、本明細書では交換可能に使用され得る。
【００７７】
図1は、本願の一実施形態による直線道路シナリオの概略アーキテクチャ図である。図1に示すように、直線道路シナリオのアーキテクチャは、複数のMECサーバ（この図ではMECサーバ111およびMECサーバ112が示されている）と、直線道路に沿って分散された複数のセル（この図ではセル121からセル125が示されている）と、少なくとも1つの移動端末（この図では移動端末131が示されている）とを含む。
【００７８】
本願のこの実施形態における直線道路シナリオのアーキテクチャでは、直線道路の方向に連続するL個のセル（L≧1）おきに、L個のセルの中心に位置するMECサーバを配置してもよい。MECサーバは、L個のセルの上位ネットワークノードと見なすことができ、有効に、MECサーバのカバレッジ内でL個のセルをカバーし、L個のセルにサービスを提供することができる。各セルは、異なる基地局に属してもよい。
【００７９】
MECサーバは、効率的で信頼できる通信を実施するために、MECサーバのカバレッジ内のL個のセルが属する基地局に有線方式で接続されることを理解されたい。
【００８０】
移動端末がMECサーバのカバレッジのエッジで2つのセル間を横切る（例えば、図に示されている端末131が、MECのサーバ111のエッジセル122からMECサーバ112のエッジセル123に横切る）ときに存在する可能性がある、移動端末のハンドオーバ性能が低いという問題を考慮して、有線接続は、特に、エッジ基地局と2つの隣接するMECサーバのそれぞれとの間でセットアップされる。この配置方法によれば、任意の2つの隣接セル間での移動端末のハンドオーバは、同じMECサーバのカバレッジ内でのハンドオーバと見なすことができる。移動端末のハンドオーバプロセスは、対応するMECサーバによって制御することができ、これにより、ユーザの迅速な信頼できるハンドオーバが容易になる。
【００８１】
例えば、図1に示すように、MECサーバ111はセル121および122をカバーし、MECサーバ112はセル123からセル125をカバーする。MECサーバの配置時に、エッジセル123とMECサーバ111との間の接続がセットアップされる。したがって、セル122とセル123との間での移動端末131のハンドオーバは、MECサーバ111のカバレッジ内でのセルハンドオーバと見なすことができ、MECサーバ111によって管理および制御される。しかしながら、これは本願のこの実施形態では限定されない。
【００８２】
図2は、本願の一実施形態による交差道路シナリオの概略アーキテクチャ図である。交差道路シナリオでのMECサーバの配置は、直線シナリオでの配置と同様である。相違点は、交差道路シナリオの構造では、図11に示すように、支線道路上にある、道路の交差点に最も近い路側基地局がすべて1つのMECサーバに接続され、これらの基地局のそれぞれが、対応する支線道路上のMECサーバにも接続されることである。このMECエッジサーバ配置方法によれば、道路の交差点で移動方向を変更することによってユーザによって引き起こされるセルハンドオーバも、同じMECサーバのカバレッジ内でのハンドオーバと見なされる。
【００８３】
例えば、図2に示すように、MECサーバ212は、セル224およびセル225にサービスを提供し、MECサーバ212のカバレッジ内でエッジセルとして使用されるセル224と、MECサーバ211およびMECサーバ212のそれぞれとの間の接続がセットアップされる。同様に、MECサーバ211は、MECサーバ211がセル221からセル224をカバーするように配置されてもよい。具体的には、MECサーバ211は、交差点にある、4つの交差点方向のセルに対して配置される。したがって、交差点においてある方向に移動することによって移動端末231がハンドオーバするセルに関係なく、ハンドオーバは、MECサーバ212のカバレッジ内でのセルハンドオーバと見なすことができ、MECサーバ212によって管理および制御される。しかしながら、これは本願のこの実施形態では限定されない。
【００８４】
任意選択で、基地局は、多様な移動シナリオに対処するために、より複雑な道路状況を有するゾーンの隣接する2つ以上のMECサーバとの接続をセットアップすることを許可される。しかしながら、本願のこの実施形態はこれに限定されない。
【００８５】
以上、図1および図2を参照して、本願の実施形態が適用され得るシナリオアーキテクチャについて説明した。本願の実施形態におけるセルハンドオーバ方法は、図3および図4を参照して以下に詳細に説明される。
【００８６】
図3は、本願の一実施形態によるセルハンドオーバ方法300の概略フローチャートである。図3に示すように、方法300は、図1または図2の適用シナリオに適用することができる。しかしながら、本願のこの実施形態はこれに限定されない。
【００８７】
S310：ソースセルが、移動端末の状態情報をモバイルエッジコンピューティングMECサーバに送信するが、その場合、状態情報は、位置情報および速度情報を含み、ソースセルは、移動端末にサービスを提供し、MECサーバは、ソースセルにサービスを提供する。
【００８８】
S320：MECサーバが、状態情報に基づいてターゲットセルを決定するが、その場合、MECサーバは、ターゲットセルにサービスを提供し、ターゲットセルは、ソースセルに隣接し、ターゲットセルのカバレッジは、ソースセルのカバレッジと部分的に重複する。
【００８９】
S330：MECサーバは、ソースセルを使用してターゲットセルの識別子を移動端末に送信する。
【００９０】
S340：移動端末は、ターゲットセルの識別子に基づいてセルハンドオーバを実行する。
【００９１】
本願のこの実施形態で提供されるセルハンドオーバ方法によれば、セルハンドオーバの効率を向上させるために、MECサーバは、移動端末の位置情報および速度情報に基づいてターゲットセルを決定し、ターゲットセルの識別子を移動端末に送信し、これにより、移動端末はターゲットセルにハンドオーバする。
【００９２】
任意選択で、ステップS310において、ソースセルは、複数の手法を使用して移動端末の状態情報を取得してもよく、例えば、移動端末によって定期的に報告される位置情報および速度情報（例えば、ハートビートメッセージ）を受信してもよいし、移動端末に状態情報を提供するように要求するときに状態情報要求メッセージを移動端末に送信してもよい。状態情報要求メッセージを受信した後、移動端末は、状態情報をソースセルに報告する。これは本願のこの実施形態では限定されない。
【００９３】
任意選択で、ステップS320において、MECサーバは、複数の方法でターゲットセルを決定してもよい。
【００９４】
任意選択の実施形態では、MECサーバは、移動端末の移動経路情報を取得してもよい。移動経路情報は、出発地から目的地までの移動端末の移動経路を示すために使用される。MECサーバは、状態情報および移動経路情報に基づいてターゲットセルを決定する。
【００９５】
別の任意選択の実施形態では、MECサーバは、クラウドサーバに記憶されている移動端末の移動経路情報を取得してもよい。代替的に、MECサーバは、移動経路要求をMECサーバに送信し、移動経路要求に基づいて移動端末によって送信された移動端末の移動経路情報を受信してもよい。これは本願のこの実施形態では限定されない。
【００９６】
別の任意選択の実施形態では、MECサーバは、代替的に、ソースセルとターゲットセルとの重複領域に関する情報を取得してもよい。重複領域に関する情報は、ソースセルのカバレッジとターゲットセルのカバレッジとの重複部分を示すために使用される。MECサーバは、状態情報および重複領域に関する情報に基づいてターゲットセルを決定する。これは本願のこの実施形態では限定されない。
【００９７】
任意選択で、MECサーバは、MECサーバのカバレッジ内の任意の2つの隣接セルの重複領域に関する情報を予め記憶してもよい。代替的に、MECサーバは、ソースセルから、ソースセルとソースセルに隣接する別のセルとの重複領域に関する情報を要求してもよい。これは本願のこの実施形態では限定されない。
【００９８】
別の任意選択の実施形態では、MECサーバは、クラウドサーバからリアルタイム道路環境情報をさらに取得してもよい。道路環境情報は、移動端末の移動経路の道路混雑状態および道路障害物状態と、近くの別の移動端末の移動状態に関する情報とを含む。MECサーバは、移動端末の移動経路情報および道路環境情報に基づいてターゲットセルを決定してもよい。
【００９９】
本願のこの実施形態で提供されるセルハンドオーバ方法によれば、MECサーバは、セルハンドオーバの効率および信頼性をさらに向上させるために、道路の予測不可能性と組み合わせて道路の予測可能性に基づいてターゲットセルを決定することができる。
【０１００】
ソースセルとターゲットセルとの間にある、セルハンドオーバを実行するために移動端末によって使用されるハンドオーバ領域があることを理解されたい。移動端末からの、ハンドオーバ領域でソースセルおよびターゲットセルによって受信されるアップリンク信号のより近似する信号強度は、その領域で移動端末によって実行されるセルハンドオーバのより高い成功率を示す。
【０１０１】
任意選択で、MECサーバは、ソースセルとターゲットセルとの間のハンドオーバ領域に関する情報を複数の方法で取得してもよい。
【０１０２】
任意選択の実施形態では、MECサーバは、試験移動端末を予め試験し、MECサーバのカバレッジ内の任意の2つの隣接セル間のハンドオーバ領域に関する情報を予め記憶してもよい。代替的に、MECサーバは、ソースセルから、ソースセルとソースセルに隣接する別のセルとの間のハンドオーバ領域に関する情報を要求してもよい。これは本願のこの実施形態では限定されない。
【０１０３】
MECサーバは、ソースセルのカバレッジとターゲットセルのカバレッジとの重複領域に位置する、試験に使用される試験移動端末のアップリンク信号を測定することによってソースセルによって取得される第1の信号強度値と、このアップリンク信号を測定することによってターゲットセルによって取得される第2の信号強度値とを取得し、試験移動端末が通過する領域であって、第1の信号強度値と第2の信号強度値との差が第1の閾値未満となる領域をハンドオーバ領域として決定してもよい。
【０１０４】
一時的な道路の障害物または厳しい天候条件などの、受信信号品質への影響を避けるために、ハンドオーバ領域の統計のために走行試験を定期的に行う必要があり、ハンドオーバ領域の範囲も定期的に更新する必要があることも理解されたい。具体的な測定期間は、実際の道路シナリオの特徴に基づいて決定され、ハンドオーバ実行時間よりはるかに長くなければならない。
【０１０５】
本願のこの実施形態で提供されるセルハンドオーバ方法によれば、MECサーバは、2つのセル基地局からの、端末によって受信された信号強度がソースセルとターゲットセルとの重複領域で近似する位置点を含むハンドオーバ領域を取得するために、試験移動端末のアップリンク信号を複数回測定することによってソースセルおよびターゲットセルによって取得される測定結果を取得する。セルハンドオーバは、セルハンドオーバの成功率を向上させるためにハンドオーバ領域で実行される。
【０１０６】
任意選択で、MECサーバは、移動端末のサービングセルがソースセルからターゲットセルに切り替えられるハンドオーバ時点を、状態情報およびハンドオーバ領域に関する情報に基づいて決定してもよい。MECサーバによって、ソースセルを使用してターゲットセルの識別子を移動端末に送信することは、ソースセルを使用してターゲットセルの識別子およびハンドオーバ時点に関する情報を移動端末に送信することであってもよい。
【０１０７】
任意選択の実施形態では、MECサーバは、状態情報と、ハンドオーバ領域に関する情報と、転移期間情報およびリソース構成情報のうちの少なくとも一方とを参照してハンドオーバ時点を決定してもよい。転移期間情報は、移動端末のパケット・データ・コンバージェンス・プロトコル（packet data convergence protocol、PDCP）シーケンス番号（sequence number、SN）状態を転移させるためにソースセルおよびターゲットセルによって必要とされる期間を示すために使用され、リソース構成情報は、ターゲットセルのアップリンクリソースの現在の使用状況を示すために使用される。
【０１０８】
転移期間は、MECサーバがハンドオーバ時点を決定するときに考慮され、これにより、移動端末がセルハンドオーバを実行するときには、ソースセルおよびターゲットセルは、SN状態の転移を完了していることを理解されたい。したがって、ハンドオーバ時点になったとき、ソースセルおよびターゲットセルは、ハンドオーバ手順のステップを事前に実行しているため、ハンドオーバ手順が簡単になり、端末は、ソースセルからターゲットセルにスムーズにハンドオーバすることができ、このため、セルハンドオーバプロセスにおけるユーザ体験の質が向上する。
【０１０９】
任意選択で、MECサーバは、移動端末の識別子とハンドオーバ時点に関する情報とをターゲットセルにさらに送信する。移動端末がハンドオーバ時点でセルハンドオーバを実行する必要があることを両方が把握した後、ソースセルおよびターゲットセルは、セルハンドオーバを事前に準備する。例えば、ソースセルは、SN状態を事前に転移させる。代替的に、ターゲットセルは、移動端末用のアップリンクリソースを事前に予約する。これは本願のこの実施形態では限定されない。
【０１１０】
例えば、MECサーバは、移動端末の状態情報に基づいて、現在位置からハンドオーバ領域に進入するために移動端末によって必要とされる期間を計算し、次に、移動端末がハンドオーバ領域に進入する時点を取得してもよい。ハンドオーバ領域は、複数の位置点を含む。したがって、ここで計算される時点は、セットT1である。ハンドオーバ時点になる前に端末が「ハンドオーバコマンド」を確実に受信するようにするためには、ハンドオーバ時点と現在時点との間に差がなければならない。さらに、ソース基地局およびターゲット基地局は、SN状態の転移およびデータ転送プロセスを完了することができる。これらのプロセスによって必要とされる期間は、基地局およびMECサーバによって推定されてもよい。セットT2を形成するために、条件を満たす時点が前述の時点セットから選別される。
【０１１１】
さらに、MECサーバは、さらに、ターゲット基地局の時間周波数リソースの使用状況を包括的に検査し、適切なリソーススケジューリングを通じて、ハンドオーバ端末のハンドオーバ時点予測子（例えば、サブフレームまたはフレームのスロット）である、T2からの最適時点を選択し、予測されたハンドオーバスロットにおいてアップリンクリソースをハンドオーバ端末に割り当てる。
【０１１２】
任意選択で、MECサーバは、移動端末のためにターゲットセルによって予約されるアップリンクリソースを、ハンドオーバ時点およびターゲットセルのアップリンクリソースの現在の使用状況を参照してさらに決定してもよい。MECサーバによって、ソースセルを使用してターゲットセルの識別子を移動端末に送信することは、ソースセルを使用してターゲットセルの識別子、ハンドオーバ時点に関する情報、およびアップリンクリソースに関する情報を移動端末に送信することであってもよい。
【０１１３】
任意選択で、ステップS340において、MECサーバは、ソースセルおよび移動端末に、ターゲットセルの識別子、ハンドオーバ時点に関する情報、およびアップリンクリソースに関する情報を通知してもよい。移動端末は、ハンドオーバ時点でソースセルとの接続を直接切断し、ランダムアクセスなしで、移動端末のためにターゲットセルによって予約されたアップリンクリソースを使用してターゲットセルとの接続をセットアップし、このため、セルハンドオーバの効率が向上する。
【０１１４】
さらに、ハンドオーバ時点で移動端末との接続を切断した後、ソースセルは、移動端末に割り当てられている無線リソース制御（radio resource control、RRC）リソースに別の移動端末にサービスを提供させるために、このRRCリソースを直接解放し、このため、ソースセルのRRCリソースの利用率が向上する。
【０１１５】
さらに、MECサーバは、移動端末の識別子、ハンドオーバ時点に関する情報、およびアップリンクリソースに関する情報をターゲットセルに通知してもよい。ターゲットセルは、ハンドオーバ時点で移動端末のためにリソースを予約する必要があるだけであり、他の時点では自由にリソースを割り当てることができ、このため、ターゲットセルのアップリンクリソースの利用率が向上する。
【０１１６】
任意選択で、MECサーバは、ソースセルのシステムタイミングおよびターゲットセルのシステムタイミングを取得し、ソースセルのシステムタイミングとターゲットセルのシステムタイミングとの差に基づいて移動端末のタイミングアドバンスを決定してもよい。タイミングアドバンスは、ターゲットセルと同期するために移動端末によって使用される。MECサーバは、ソースセルを使用してタイミングアドバンスに関する情報を移動端末に送信する。
【０１１７】
任意選択の実施形態では、タイミングアドバンスを受信した後、移動端末は、移動端末のシステムタイミングおよびタイミングアドバンスに基づいてターゲットセルとのタイミング同期を実行してもよい。
【０１１８】
さらに、移動端末は、ターゲットセルとのアップリンク同期を自動的に確立するために、ターゲットセルによって送信される一次信号、二次信号、および基準信号などを受信してもよい。これは本願のこの実施形態では限定されない。
【０１１９】
図4は、本願の一実施形態による別のセルハンドオーバ方法400の概略フローチャートである。
【０１２０】
S401：ソースセルが、移動端末の状態情報をMECサーバに送信するが、その場合、状態情報は、位置情報および速度情報を含み、ソースセルは、移動端末にサービスを提供し、MECサーバは、ソースセルにサービスを提供する。
【０１２１】
S402：MECサーバが、状態情報に基づいてターゲットセルを決定するが、その場合、MECサーバは、ターゲットセルにサービスを提供し、ターゲットセルは、ソースセルに隣接し、ターゲットセルのカバレッジは、ソースセルのカバレッジと部分的に重複する。
【０１２２】
S403：MECサーバは、ソースセルとターゲットセルとの間のハンドオーバ領域に関する情報を取得するが、その場合、ハンドオーバ領域は、移動端末のセルハンドオーバに使用される。
【０１２３】
ソースセルとターゲットセルとの間にある、セルハンドオーバを実行するために移動端末によって使用されるハンドオーバ領域があることを理解されたい。移動端末からの、ハンドオーバ領域でソースセルおよびターゲットセルによって受信されるアップリンク信号のより近似する信号強度は、その領域で移動端末によって実行されるセルハンドオーバのより高い成功率を示す。
【０１２４】
任意選択の実施形態では、MECサーバは、試験移動端末を予め試験し、MECサーバのカバレッジ内の任意の2つの隣接セル間のハンドオーバ領域に関する情報を予め記憶してもよい。代替的に、MECサーバは、ソースセルから、ソースセルとソースセルに隣接する別のセルとの間のハンドオーバ領域に関する情報を要求してもよい。これは本願のこの実施形態では限定されない。
【０１２５】
MECサーバは、ソースセルのカバレッジとターゲットセルのカバレッジとの重複領域に位置する、試験に使用される試験移動端末のアップリンク信号を測定することによってソースセルによって取得される第1の信号強度値と、このアップリンク信号を測定することによってターゲットセルによって取得される第2の信号強度値とを取得し、試験移動端末が通過する領域であって、第1の信号強度値と第2の信号強度値との差が第1の閾値未満となる領域をハンドオーバ領域として決定してもよい。
【０１２６】
S404：MECサーバは、状態情報およびハンドオーバ領域に関する情報に基づいて、移動端末がソースセルからターゲットセルにハンドオーバするハンドオーバ時点を決定する。
【０１２７】
任意選択で、MECサーバは、移動端末のためにターゲットセルによって予約される必要があるアップリンクリソースを、ハンドオーバ時点およびターゲットセルのリソース構成情報に基づいて決定してもよい。
【０１２８】
S405：MECサーバは、ソースセルを使用してターゲットセルの識別子およびハンドオーバ時点を移動端末に送信する。
【０１２９】
任意選択で、MECサーバは、ソースセルを使用してターゲットセルの識別子、ハンドオーバ時点に関する情報、およびアップリンクリソースに関する情報を移動端末に送信してもよい。
【０１３０】
任意選択で、ソースセルは、ハンドオーバ時点で移動端末との接続を切断し、移動端末用のRRCリソースを解放してもよい。
【０１３１】
任意選択で、移動端末は、ハンドオーバ時点でソースセルとの接続を切断し、ターゲットセルとの接続をセットアップしてもよい。
【０１３２】
S406：MECサーバは、移動端末の識別子およびハンドオーバ時点をターゲットセルに送信する。
【０１３３】
任意選択で、MECサーバは、ソースセルを使用してターゲットセルの識別子、ハンドオーバ時点に関する情報、およびアップリンクリソースに関する情報を移動端末に送信してもよく、これにより、ターゲットセルは、ハンドオーバ時点の前に移動端末のためにアップリンクリソースを予約する。
【０１３４】
S407：移動端末は、ハンドオーバ時点でソースセルからターゲットセルにハンドオーバする。
【０１３５】
具体的には、移動端末は、ハンドオーバ時点で、移動端末のためにターゲットセルによって予約されたアップリンクリソースを使用してターゲットセルとの接続をセットアップする。
【０１３６】
以上、図3および図4を参照して、本願の実施形態によるセルハンドオーバ方法について詳細に説明したが、以下では、図5から図12を参照して、本願の実施形態によるセルハンドオーバ装置について説明する。
【０１３７】
図5は、本願の一実施形態によるセルハンドオーバ装置600を示す。装置600は、例えば、前述の実施形態におけるMECサーバであってもよいが、これは本願のこの実施形態では限定されない。図5に示すように、装置500は、
ソースセルによって送信される移動端末の状態情報を受信するように構成される受信ユニット510であって、状態情報が、位置情報および速度情報を含み、ソースセルが、移動端末にサービスを提供し、MECサーバが、ソースセルにサービスを提供する、受信ユニット510と、
受信ユニット510によって受信された状態情報に基づいてターゲットセルを決定するように構成される決定ユニット520であって、MECサーバが、ターゲットセルにサービスを提供し、ターゲットセルが、ソースセルに隣接し、ターゲットセルのカバレッジが、ソースセルのカバレッジと部分的に重複する、決定ユニット520と、
決定ユニット520によって決定されたターゲットセルの識別子を、ソースセルを使用して移動端末に送信するように構成される送信ユニット530と
を含む。
【０１３８】
任意選択で、この装置は、取得ユニットをさらに含む。取得ユニットは、ソースセルとターゲットセルとの間のハンドオーバ領域に関する情報を取得するように構成される。ハンドオーバ領域は、移動端末のセルハンドオーバに使用される。決定ユニットは、移動端末のサービングセルがソースセルからターゲットセルに切り替えられるハンドオーバ時点を、状態情報およびハンドオーバ領域に関する情報に基づいて決定するようにさらに構成される。送信ユニットは、ソースセルを使用してターゲットセルの識別子およびハンドオーバ時点に関する情報を移動端末に送信するように特に構成される。
【０１３９】
任意選択で、取得ユニットは、ソースセルのカバレッジとターゲットセルのカバレッジとの重複領域に位置する、試験に使用される試験移動端末のアップリンク信号を測定することによってソースセルによって取得される第1の信号強度値と、このアップリンク信号を測定することによってターゲットセルによって取得される第2の信号強度値とを取得し、試験移動端末が通過する領域であって、第1の信号強度値と第2の信号強度値との差が第1の閾値未満となる領域をハンドオーバ領域として決定するように特に構成される。
【０１４０】
任意選択で、決定ユニットは、状態情報と、ハンドオーバ領域に関する情報と、転移期間情報およびリソース構成情報のうちの少なくとも一方とに基づいてハンドオーバ時点を決定するように特に構成される。転移期間情報は、移動端末のパケット・データ・コンバージェンス・プロトコルPDCPシーケンス番号SN状態を転移させるためにソースセルおよびターゲットセルによって必要とされる期間を示すために使用され、リソース構成情報は、ターゲットセルのアップリンクリソースの現在の使用状況を示すために使用される。
【０１４１】
任意選択で、決定ユニットは、移動端末のためにターゲットセルによって予約されるアップリンクリソースを、ハンドオーバ時点およびターゲットセルのアップリンクリソースの現在の使用状況に基づいて決定するようにさらに構成される。送信ユニットは、ソースセルを使用してターゲットセルの識別子、ハンドオーバ時点に関する情報、およびアップリンクリソースに関する情報を移動端末に送信するように特に構成される。
【０１４２】
任意選択で、送信ユニットは、移動端末のためにターゲットセルによって予約されるアップリンクリソースがハンドオーバ時点およびターゲットセルのアップリンクリソースの現在の使用状況に基づいて決定された後に、移動端末の識別子、ハンドオーバ時点に関する情報、およびアップリンクリソースに関する情報をターゲットセルに送信するようにさらに構成される。
【０１４３】
本明細書の装置500は機能ユニットの形態で表されていることを理解されたい。本明細書における「ユニット」という用語は、特定用途向け集積回路（application-specific integrated circuit、ASIC）、電子回路、1つ以上のソフトウェアもしくはファームウェアプログラムを実行するためのプロセッサ（例えば、共有プロセッサ、専用プロセッサ、もしくはパケットプロセッサ）およびメモリ、組み合わせ論理回路、ならびに／または説明されている機能をサポートする別の適切なコンポーネントを指し得る。任意選択の例では、当業者は、装置500が特に前述の実施形態におけるMECサーバであってもよいと理解してもよい。装置500は、前述の方法の実施形態においてMECサーバに対応する各手順および／または各ステップを実行するように構成されてもよい。繰り返しを避けるために、本明細書では詳細を再度説明しない。
【０１４４】
図6は、本願の一実施形態によるセルハンドオーバ装置600を示す。装置600は、例えば、前述の実施形態におけるソースセルであってもよいが、これは本願のこの実施形態では限定されない。図6に示すように、装置600は、
移動端末の状態情報をモバイルエッジコンピューティングMECサーバに送信するように構成される送信ユニット610であって、状態情報が、位置情報および速度情報を含み、MECサーバが、ソースセルにサービスを提供し、ソースセルが、移動端末にサービスを提供する、送信ユニット610と、
送信ユニット610によって送信された状態情報に基づいてMECサーバによって送信されるターゲットセルの識別子を受信するように構成される受信ユニット620と
を含む。
【０１４５】
送信ユニット610は、ターゲットセルの識別子を移動端末に送信するようにさらに構成される。
【０１４６】
任意選択で、受信ユニットは、状態情報に基づいてMECサーバによって送信される、移動端末のサービングセルがソースセルからターゲットセルに切り替えられるハンドオーバ時点に関する情報および移動端末のためにターゲットセルによって予約されるアップリンクリソースに関する情報のうちの少なくとも一方を受信するようにさらに構成される。送信ユニットは、ターゲットセルの識別子と、ハンドオーバ時点に関する情報およびアップリンクリソースに関する情報のうちの少なくとも一方とを移動端末に送信するように特に構成される。
【０１４７】
任意選択で、この装置は、処理ユニットをさらに含む。処理ユニットは、ターゲットセルの識別子とハンドオーバ時点に関する情報およびアップリンクリソースに関する情報のうちの少なくとも一方とが移動端末に送信された後にハンドオーバ時点で移動端末との接続を切断するように構成される。
【０１４８】
任意選択で、送信ユニットは、移動端末との接続がハンドオーバ時点で切断される前に移動端末のSN状態に関する情報をターゲットセルに送信するようにさらに構成される。
【０１４９】
本明細書の装置600は機能ユニットの形態で表されていることを理解されたい。本明細書における「ユニット」という用語は、ASIC、電子回路、1つ以上のソフトウェアもしくはファームウェアプログラムを実行するためのプロセッサ（例えば、共有プロセッサ、専用プロセッサ、もしくはパケットプロセッサ）およびメモリ、組み合わせ論理回路、ならびに／または説明されている機能をサポートする別の適切なコンポーネントを指し得る。任意選択の例では、当業者は、装置600が特に前述の実施形態におけるソースセルであってもよいと理解してもよい。装置600は、前述の方法の実施形態においてソースセルに対応する各手順および／または各ステップを実行するように構成されてもよい。繰り返しを避けるために、本明細書では詳細を再度説明しない。
【０１５０】
図7は、本願の一実施形態によるセルハンドオーバ装置700を示す。装置700は、例えば、前述の実施形態におけるターゲットセルであってもよいが、これは本願のこの実施形態では限定されない。図7に示すように、装置700は、
モバイルエッジコンピューティングMECサーバによって送信される、移動端末の識別子と、移動端末がセルハンドオーバを実行するハンドオーバ時点に関する情報および移動端末のためにターゲットセルによって予約されるアップリンクリソースに関する情報のうちの少なくとも一方とを受信するように構成される受信ユニット710と、
受信ユニット710によって受信された、移動端末の識別子とハンドオーバ時点およびアップリンクリソースのうちの少なくとも一方とに基づいて移動端末との接続をセットアップするように構成される接続ユニット720と
を含む。
【０１５１】
任意選択で、受信ユニットは、移動端末との接続が移動端末の識別子とハンドオーバ時点およびアップリンクリソースのうちの少なくとも一方とに基づいてセットアップされる前に、ソースセルによって送信される移動端末のSN状態に関する情報を受信するようにさらに構成される。
【０１５２】
本明細書の装置700は機能ユニットの形態で表されていることを理解されたい。本明細書における「ユニット」という用語は、ASIC、電子回路、1つ以上のソフトウェアもしくはファームウェアプログラムを実行するためのプロセッサ（例えば、共有プロセッサ、専用プロセッサ、もしくはパケットプロセッサ）およびメモリ、組み合わせ論理回路、ならびに／または説明されている機能をサポートする別の適切なコンポーネントを指し得る。任意選択の例では、当業者は、装置700が特に前述の実施形態におけるターゲットセルであってもよいと理解してもよい。装置700は、前述の方法の実施形態においてターゲットセルに対応する各手順および／または各ステップを実行するように構成されてもよい。繰り返しを避けるために、本明細書では詳細を再度説明しない。
【０１５３】
図8は、本願の一実施形態によるセルハンドオーバ装置800を示す。装置800は、例えば、前述の実施形態における移動端末であってもよいが、これは本願のこの実施形態では限定されない。図8に示すように、装置800は、
ソースセルを使用して状態情報をモバイルエッジコンピューティングMECサーバに送信するように構成される送信ユニット810であって、状態情報が、移動端末の位置情報および速度情報を含み、MECサーバが、ソースセルにサービスを提供し、ソースセルが、移動端末にサービスを提供する、送信ユニット810と、
送信ユニット810によって送信された状態情報に基づいてMECサーバによって送信されるターゲットセルの識別子を受信するように構成される受信ユニット820と、
受信ユニット820によって受信されたターゲットセルの識別子に基づいてソースセルからターゲットセルにハンドオーバするように構成されるハンドオーバユニット830と
を含む。
【０１５４】
任意選択で、受信ユニットは、移動端末がソースセルからターゲットセルにハンドオーバするハンドオーバ時点に関する情報であって、状態情報に基づいてMECサーバによって送信される情報を受信するようにさらに構成される。ハンドオーバユニットは、ターゲットセルの識別子およびハンドオーバ時点に関する情報に基づいて、移動端末によってソースセルからターゲットセルにハンドオーバするように特に構成される。
【０１５５】
任意選択で、受信ユニットは、移動端末のためにターゲットセルによって予約されるアップリンクリソースに関する情報であって、状態情報に基づいてMECサーバによって送信される情報を受信するようにさらに構成される。ハンドオーバユニットは、ターゲットセルの識別子、ハンドオーバ時点に関する情報、およびアップリンクリソースに関する情報に基づいてソースセルからターゲットセルにハンドオーバするように特に構成される。
【０１５６】
任意選択で、この装置は、処理ユニットをさらに含む。処理ユニットは、移動端末がソースセルからターゲットセルにハンドオーバするハンドオーバ時点に関する情報であって、状態情報に基づいてMECサーバによって送信された情報を移動端末が受信した後にハンドオーバ時点でソースセルとの接続を切断するように構成される。
【０１５７】
本明細書の装置800は機能ユニットの形態で表されていることを理解されたい。本明細書における「ユニット」という用語は、ASIC、電子回路、1つ以上のソフトウェアもしくはファームウェアプログラムを実行するためのプロセッサ（例えば、共有プロセッサ、専用プロセッサ、もしくはパケットプロセッサ）およびメモリ、組み合わせ論理回路、ならびに／または説明されている機能をサポートする別の適切なコンポーネントを指し得る。任意選択の例では、当業者は、装置800が特に前述の実施形態における移動端末であってもよいと理解してもよい。装置800は、前述の方法の実施形態において移動端末に対応する各手順および／または各ステップを実行するように構成されてもよい。繰り返しを避けるために、本明細書では詳細を再度説明しない。
【０１５８】
図9は、本願の一実施形態による別のセルハンドオーバ装置900を示す。装置900は、プロセッサ910と、送信機920と、受信機930と、メモリ940と、バスシステム950とを含む。プロセッサ910、送信機920、受信機930、およびメモリ940は、バスシステム950を使用して接続される。メモリ940は、命令を記憶するように構成される。プロセッサ910は、信号を送信するように送信機920を制御するために、または信号を受信するように受信機930を制御するために、メモリ940に記憶された命令を実行するように構成される。送信機920および受信機930は、通信インタフェースであってもよい。具体的には、送信機920は、データおよび／または命令を受信するように構成されたインタフェースであってもよい。受信機930は、データおよび／または命令を送信するように構成されたインタフェースであってもよい。送信機920および受信機930の特定の形態の例について、本明細書では説明のために列挙はしない。
【０１５９】
装置900は、特に、前述の実施形態におけるMECサーバであってもよく、前述の方法の実施形態においてMECサーバに対応する各ステップおよび／または各手順を実行するように構成されてもよいことを理解されたい。任意選択で、メモリ940は、読み出し専用メモリおよびランダムアクセスメモリを含んでもよく、命令およびデータをプロセッサに提供する。メモリの一部は、不揮発性ランダムアクセスメモリをさらに含んでもよい。例えば、メモリは、デバイスタイプの情報をさらに記憶してもよい。プロセッサ910は、メモリに記憶された命令を実行するように構成されてもよく、命令を実行するとき、プロセッサは、前述の方法の実施形態においてMECサーバに対応する各ステップを実行してもよい。
【０１６０】
本願のこの実施形態では、プロセッサは中央処理装置（central processing unit、CPU）であってもよいことを理解されたい。代替的に、プロセッサは、別の汎用プロセッサ、デジタル信号プロセッサ（digital signal processing、DSP）、特定用途向け集積回路ASIC、フィールド・プログラマブル・ゲート・アレイ（field programmable gate array、FPGA）、別のプログラマブル論理デバイス、ディスクリートゲート、トランジスタ論理デバイス、またはディスクリート・ハードウェア・コンポーネントなどであってもよい。汎用プロセッサは、マイクロプロセッサであってもよい。代替的に、プロセッサは、任意の従来のプロセッサなどであてもよい。
【０１６１】
図10は、本願の一実施形態による別のセルハンドオーバ装置1000を示す。装置1000は、プロセッサ1010と、送信機1020と、受信機1030と、メモリ1040と、バスシステム1050とを含む。プロセッサ1010、送信機1020、受信機1030、およびメモリ1040は、バスシステム1050を使用して接続される。メモリ1040は、命令を記憶するように構成される。プロセッサ1010は、信号を送信するように送信機1020を制御するために、または信号を受信するように受信機1030を制御するために、メモリ1040に記憶された命令を実行するように構成される。送信機1020および受信機1030は、通信インタフェースであってもよい。具体的には、送信機1020は、データおよび／または命令を受信するように構成されたインタフェースであってもよい。受信機1030は、データおよび／または命令を送信するように構成されたインタフェースであってもよい。送信機1020および受信機1030の特定の形態の例について、本明細書では説明のために列挙はしない。
【０１６２】
装置1000は、特に、前述の実施形態におけるソースセルであってもよく、前述の方法の実施形態においてソースセルに対応する各ステップおよび／または各手順を実行するように構成されてもよいことを理解されたい。任意選択で、メモリ1040は、読み出し専用メモリおよびランダムアクセスメモリを含んでもよく、命令およびデータをプロセッサに提供する。メモリの一部は、不揮発性ランダムアクセスメモリをさらに含んでもよい。例えば、メモリは、デバイスタイプの情報をさらに記憶してもよい。プロセッサ1010は、メモリに記憶された命令を実行するように構成されてもよく、命令を実行するとき、プロセッサは、前述の方法の実施形態においてソースセルに対応する各ステップを実行してもよい。
【０１６３】
本願のこの実施形態では、プロセッサはCPUであってもよいことを理解されたい。代替的に、プロセッサは、別の汎用プロセッサ、DSP、ASIC、FPGA、別のプログラマブル論理デバイス、ディスクリートゲート、トランジスタ論理デバイス、またはディスクリート・ハードウェア・コンポーネントなどであってもよい。汎用プロセッサは、マイクロプロセッサであってもよい。代替的に、プロセッサは、任意の従来のプロセッサなどであてもよい。
【０１６４】
図11は、本願の一実施形態による別のセルハンドオーバ装置1100を示す。装置1100は、プロセッサ1110と、送信機1120と、受信機1130と、メモリ1140と、バスシステム1150とを含む。プロセッサ1110、送信機1120、受信機1130、およびメモリ1140は、バスシステム1150を使用して接続される。メモリ1140は、命令を記憶するように構成される。プロセッサ1110は、信号を送信するように送信機1120を制御するために、または信号を受信するように受信機1130を制御するために、メモリ1140に記憶された命令を実行するように構成される。送信機1120および受信機1130は、通信インタフェースであってもよい。具体的には、送信機1120は、データおよび／または命令を受信するように構成されたインタフェースであってもよい。受信機1130は、データおよび／または命令を送信するように構成されたインタフェースであってもよい。送信機1120および受信機1130の特定の形態の例について、本明細書では説明のために列挙はしない。
【０１６５】
装置1100は、特に、前述の実施形態におけるターゲットセルであってもよく、前述の方法の実施形態においてターゲットセルに対応する各ステップおよび／または各手順を実行するように構成されてもよいことを理解されたい。任意選択で、メモリ1140は、読み出し専用メモリおよびランダムアクセスメモリを含んでもよく、命令およびデータをプロセッサに提供する。メモリの一部は、不揮発性ランダムアクセスメモリをさらに含んでもよい。例えば、メモリは、デバイスタイプの情報をさらに記憶してもよい。プロセッサ1110は、メモリに記憶された命令を実行するように構成されてもよく、命令を実行するとき、プロセッサは、前述の方法の実施形態においてターゲットセルに対応する各ステップを実行してもよい。
【０１６６】
本願のこの実施形態では、プロセッサはCPUであってもよいことを理解されたい。代替的に、プロセッサは、別の汎用プロセッサ、DSP、ASIC、FPGA、別のプログラマブル論理デバイス、ディスクリートゲート、トランジスタ論理デバイス、またはディスクリート・ハードウェア・コンポーネントなどであってもよい。汎用プロセッサは、マイクロプロセッサであってもよい。代替的に、プロセッサは、任意の従来のプロセッサなどであてもよい。
【０１６７】
図12は、本願の一実施形態による別のセルハンドオーバ装置1200を示す。装置1200は、プロセッサ1210と、送信機1220と、受信機1230と、メモリ1240と、バスシステム1250とを含む。プロセッサ1210、送信機1220、受信機1230、およびメモリ1240は、バスシステム1250を使用して接続される。メモリ1240は、命令を記憶するように構成される。プロセッサ1210は、信号を送信するように送信機1220を制御するために、または信号を受信するように受信機1230を制御するために、メモリ1240に記憶された命令を実行するように構成される。送信機1220および受信機1230は、通信インタフェースであってもよい。具体的には、送信機1220は、データおよび／または命令を受信するように構成されたインタフェースであってもよい。受信機1230は、データおよび／または命令を送信するように構成されたインタフェースであってもよい。送信機1220および受信機1230の特定の形態の例について、本明細書では説明のために列挙はしない。
【０１６８】
装置1200は、特に、前述の実施形態における移動端末であってもよく、前述の方法の実施形態において移動端末に対応する各ステップおよび／または各手順を実行するように構成されてもよいことを理解されたい。任意選択で、メモリ1240は、読み出し専用メモリおよびランダムアクセスメモリを含んでもよく、命令およびデータをプロセッサに提供する。メモリの一部は、不揮発性ランダムアクセスメモリをさらに含んでもよい。例えば、メモリは、デバイスタイプの情報をさらに記憶してもよい。プロセッサ1210は、メモリに記憶された命令を実行するように構成されてもよく、命令を実行するとき、プロセッサは、前述の方法の実施形態において移動端末に対応する各ステップを実行してもよい。
【０１６９】
本願のこの実施形態では、プロセッサはCPUであってもよいことを理解されたい。代替的に、プロセッサは、別の汎用プロセッサ、DSP、ASIC、FPGA、別のプログラマブル論理デバイス、ディスクリートゲート、トランジスタ論理デバイス、またはディスクリート・ハードウェア・コンポーネントなどであってもよい。汎用プロセッサは、マイクロプロセッサであってもよい。代替的に、プロセッサは、任意の従来のプロセッサなどであてもよい。
【０１７０】
実施プロセスでは、前述の方法におけるステップは、プロセッサ内のハードウェア集積論理回路を使用して、またはソフトウェアの形態の命令を使用して実施することができる。本願の実施形態を参照して開示された方法のステップは、ハードウェアプロセッサによって直接実行されてもよいし、プロセッサ内のハードウェアとソフトウェアモジュールとの組み合わせを使用して実行されてもよい。ソフトウェアモジュールは、ランダムアクセスメモリ、フラッシュメモリ、読み出し専用メモリ、プログラマブル読み出し専用メモリ、電気的消去可能プログラマブルメモリ、またはレジスタなどの、当技術分野の成熟した記憶媒体に配置されてもよい。記憶媒体は、メモリ内に配置され、プロセッサは、メモリ内の命令を実行し、プロセッサのハードウェアと組み合わせて前述の方法におけるステップを遂行する。繰り返しを避けるために、本明細書では詳細を再度説明しない。
【０１７１】
本願で提供されているいくつかの実施形態に関して、開示されているシステム、装置、および方法が他の方法で実施されてもよいことを理解されたい。例えば、説明した装置の実施形態は単なる例である。例えば、ユニットの分割は、単なる論理的な機能の分割であり、実際の実施時には他の分割であってもよい。例えば、複数のユニットまたはコンポーネントを組み合わせたり、別のシステムに統合したりしてもよく、あるいは、いくつかの特徴を無視してもよいし実行しなくてもよい。さらに、提示または叙述された相互結合または直接結合または通信接続は、装置もしくはユニット間のいくつかのインタフェース、間接結合、もしくは通信接続、電気的接続、機械的接続、または他の形態の接続によって実施されてもよい。
【０１７２】
別々の部分として説明されているユニットは、物理的に別々であってもなくてもよく、ユニットとして提示されている部分は、物理的なユニットであってもなくてもよく、1つの位置に配置されても、複数のネットワークユニットに分散されてもよい。ユニットの一部または全部は、本願の実施形態の解決策の目的を達成するために実際の要求に基づいて選択されてもよい。
【０１７３】
統合ユニットが、ソフトウェア機能ユニットの形態で実施され、独立した製品として販売または使用される場合、統合ユニットは、コンピュータ可読記憶媒体に記憶されてもよい。こうした理解に基づいて、本質的に本願の技術的解決策、または従来技術に寄与する部分、または技術的解決策の全部もしくは一部は、ソフトウェア製品の形態で実施されてもよい。ソフトウェア製品は、記憶媒体に記憶され、コンピュータデバイス（パーソナルコンピュータ、サーバ、またはネットワークデバイスなどであってもよい）に、本願の実施形態で説明した方法のステップの全部または一部を実行するように命令するためのいくつかの命令を含む。前述の記憶媒体は、USBフラッシュドライブ、リムーバブルハードディスク、読み出し専用メモリ（read-only memory、ROM）、ランダムアクセスメモリ（random access memory、RAM）、磁気ディスク、またはコンパクトディスクなどの、プログラムコードを記憶することができる任意の媒体を含む。
【０１７４】
前述の説明は、単なる本願の特定の実施形態であり、本願の保護範囲を限定することを意図するものではない。本願で開示された技術的範囲内で当業者によって容易に考え出される修正または置換は、本願の保護範囲内に含まれるものとする。したがって、本願の保護範囲は、特許請求の範囲の保護範囲に従うものとする。
【符号の説明】
【０１７５】
111，112，211，212  MECサーバ
121，124，125，221，222，223，224，225  セル
122，123  エッジセル
131，231  移動端末
300，400  ハンドオーバ方法
500  装置
600，700，800，900，1000，1100，1200  セルハンドオーバ装置
510，620，710，820  受信ユニット
520  決定ユニット
530，610，810  送信ユニット
720  接続ユニット
830  ハンドオーバユニット
910，1010，1110，1210  プロセッサ
920，1020，1120，1220  送信機
930，1030，1130，1230  受信機
940，1040，1140，1240  メモリ
950，1050，1150，1250  バスシステム
【図１】
2019532604.tif 000003
【図２】
2019532604.tif 000004
【図３】
2019532604.tif 000005
【図４】
2019532604.tif 000006
【図５】
2019532604.tif 000007
【図６】
2019532604.tif 000008
【図７】
2019532604.tif 000009
【図８】
2019532604.tif 000010
【図９】
2019532604.tif 000011
【図１０】
2019532604.tif 000012
【図１１】
2019532604.tif 000013
【図１２】
2019532604.tif 000014
【手続補正書】
【提出日】平成31年4月24日(2019.4.24)
【手続補正１】
【補正対象書類名】明細書
【補正対象項目名】００１７
【補正方法】変更
【補正の内容】
【００１７】
任意選択で、MECサーバは、クラウドサーバに記憶されている移動端末の移動経路情報を取得してもよい。代替的に、MECサーバは、移動経路要求を移動端末に送信し、移動経路要求に基づいて移動端末によって送信された移動端末の移動経路情報を受信してもよい。これは本願のこの実施形態では限定されない。
【手続補正２】
【補正対象書類名】明細書
【補正対象項目名】００２１
【補正方法】変更
【補正の内容】
【００２１】
本願で提供されるセルハンドオーバ方法によれば、MECサーバは、セルハンドオーバの効率および信頼性をさらに向上させるために、移動端末の位置情報および速度情報と、重複領域に関する情報とに基づいてターゲットセルを決定してもよい。
【手続補正３】
【補正対象書類名】明細書
【補正対象項目名】００２７
【補正方法】変更
【補正の内容】
【００２７】
本願で提供されるセルハンドオーバ方法によれば、ハンドオーバ時点になる前にソースセルおよびターゲットセルがSN状態の転移を確実に完了するようにするために、ソースセルおよびターゲットセルによって移動端末のSN状態を転移させる期間が、MECサーバがハンドオーバ時点を決定するときに考慮され、これにより、移動端末は、ハンドオーバ時点でセルハンドオーバをスムーズに実行することができ、このため、セルハンドオーバプロセスにおけるユーザ体験の質が向上する。
【手続補正４】
【補正対象書類名】明細書
【補正対象項目名】００３３
【補正方法】変更
【補正の内容】
【００３３】
本願で提供されるセルハンドオーバ方法によれば、MECサーバは、移動端末のタイミングアドバンスを移動端末に送信し、これにより、移動端末は、タイミングアドバンスに基づいて移動端末のタイミングを調整し、ターゲットセルとのダウンリンク同期を確立する。
【手続補正５】
【補正対象書類名】明細書
【補正対象項目名】００４０
【補正方法】変更
【補正の内容】
【００４０】
本願で提供されるセルハンドオーバ方法によれば、ソースセルとターゲットセルとの間でのスムーズなハンドオーバを実施し、セルハンドオーバプロセスにおけるユーザ体験の質を向上させるために、ソースセルは、ハンドオーバ時点で移動端末との接続を切断し、移動端末は、ターゲットセルとの新しい接続をセットアップする。
【手続補正６】
【補正対象書類名】明細書
【補正対象項目名】００５９
【補正方法】変更
【補正の内容】
【００５９】
第9の態様によれば、本願は、セルハンドオーバ装置を提供する。この装置は、受信機と、送信機と、メモリと、プロセッサと、バスシステムとを含む。受信機、送信機、メモリ、およびプロセッサは、バスシステムを使用して接続される。メモリは、命令を記憶するように構成される。プロセッサは、メモリに記憶された命令を実行し、信号を送信するように送信機を制御するように構成される。さらに、プロセッサがメモリに記憶された命令を実行すると、この実行により、プロセッサは、第1の態様または第1の態様の任意の可能な実施態様による方法を実行することができる。
【手続補正７】
【補正対象書類名】明細書
【補正対象項目名】００６０
【補正方法】変更
【補正の内容】
【００６０】
第10の態様によれば、本願は、セルハンドオーバ装置を提供する。この装置は、受信機と、送信機と、メモリと、プロセッサと、バスシステムとを含む。受信機、送信機、メモリ、およびプロセッサは、バスシステムを使用して接続される。メモリは、命令を記憶するように構成される。プロセッサは、メモリに記憶された命令を実行し、信号を送信するように送信機を制御するように構成される。さらに、プロセッサがメモリに記憶された命令を実行すると、この実行により、プロセッサは、第2の態様または第2の態様の任意の可能な実施態様による方法を実行することができる。
【手続補正８】
【補正対象書類名】明細書
【補正対象項目名】００６１
【補正方法】変更
【補正の内容】
【００６１】
第11の態様によれば、本願は、セルハンドオーバ装置を提供する。この装置は、受信機と、送信機と、メモリと、プロセッサと、バスシステムとを含む。受信機、送信機、メモリ、およびプロセッサは、バスシステムを使用して接続される。メモリは、命令を記憶するように構成される。プロセッサは、メモリに記憶された命令を実行し、信号を送信するように送信機を制御するように構成される。さらに、プロセッサがメモリに記憶された命令を実行すると、この実行により、プロセッサは、第3の態様または第3の態様の任意の可能な実施態様による方法を実行することができる。
【手続補正９】
【補正対象書類名】明細書
【補正対象項目名】００６２
【補正方法】変更
【補正の内容】
【００６２】
第12の態様によれば、本願は、セルハンドオーバ装置を提供する。この装置は、受信機と、送信機と、メモリと、プロセッサと、バスシステムとを含む。受信機、送信機、メモリ、およびプロセッサは、バスシステムを使用して接続される。メモリは、命令を記憶するように構成される。プロセッサは、メモリに記憶された命令を実行し、信号を送信するように送信機を制御するように構成される。さらに、プロセッサがメモリに記憶された命令を実行すると、この実行により、プロセッサは、第4の態様または第4の態様の任意の可能な実施態様による方法を実行することができる。
【手続補正１０】
【補正対象書類名】明細書
【補正対象項目名】００６３
【補正方法】変更
【補正の内容】
【００６３】
第13の態様によれば、本願は、コンピュータプログラムを記憶するように構成されたコンピュータ可読媒体を提供する。このコンピュータプログラムは、第1の態様または第1の態様の任意の可能な実施態様による方法を実行するために使用される命令を含む。
【手続補正１１】
【補正対象書類名】明細書
【補正対象項目名】００６４
【補正方法】変更
【補正の内容】
【００６４】
第14の態様によれば、本願は、コンピュータプログラムを記憶するように構成されたコンピュータ可読媒体を提供する。このコンピュータプログラムは、第2の態様または第2の態様の任意の可能な実施態様による方法を実行するために使用される命令を含む。
【手続補正１２】
【補正対象書類名】明細書
【補正対象項目名】００６５
【補正方法】変更
【補正の内容】
【００６５】
第15の態様によれば、本願は、コンピュータプログラムを記憶するように構成されたコンピュータ可読媒体を提供する。このコンピュータプログラムは、第3の態様または第3の態様の任意の可能な実施態様による方法を実行するために使用される命令を含む。
【手続補正１３】
【補正対象書類名】明細書
【補正対象項目名】００６６
【補正方法】変更
【補正の内容】
【００６６】
第16の態様によれば、本願は、コンピュータプログラムを記憶するように構成されたコンピュータ可読媒体を提供する。このコンピュータプログラムは、第4の態様または第4の態様の任意の可能な実施態様による方法を実行するために使用される命令を含む。
【手続補正１４】
【補正対象書類名】明細書
【補正対象項目名】００７０
【補正方法】変更
【補正の内容】
【００７０】
本願の実施形態の技術的解決策は、グローバル・システム・フォー・モバイル・コミュニケーションズ（global system of mobile communication、GSM（登録商標））システム、符号分割多元接続（code division multiple access、CDMA）システム、広帯域符号分割多元接続（wideband code division multiple access、WCDMA（登録商標））システム、汎用パケット無線サービス（general packet radio service、GPRS）システム、ロングタームエボリューション（long term evolution、LTE）システム、LTE周波数分割複信（frequency division duplex、FDD）システム、LTE時分割複信（time division duplex、TDD）システム、ユニバーサル移動体通信システム（universal mobile telecommunication system、UMTS）、ワールドワイド・インターオペラビリティ・フォー・マイクロウェーブ・アクセス（worldwide interoperability for microwave access、WiMAX）通信システム、および将来の通信システムなどの様々な通信システムに適用されてもよいことを理解されたい。
【手続補正１５】
【補正対象書類名】明細書
【補正対象項目名】００７３
【補正方法】変更
【補正の内容】
【００７３】
モバイルエッジコンピューティング（MEC）サーバは、モバイルネットワークのエッジに配置される近接コンピューティングアーキテクチャであり、モバイルネットワークのエッジでビッグデータサービス、モノのインターネットのサービス、およびデータサービスを提供し、新しいサービスを迅速に展開するためにオープンなアプリケーションプログラミングインタフェース（application programming interface、API）を第三者に提供する。例えば、MECサーバは、ワイヤレスネットワーク情報および移動端末の状態情報をリアルタイムで取得することにより、車両のインターネットのシステムの負荷を大幅に軽減し、移動端末をより効率的かつ確実に制御し、多様なサービスを移動端末に提供することができる。
【手続補正１６】
【補正対象書類名】明細書
【補正対象項目名】００８２
【補正方法】変更
【補正の内容】
【００８２】
図2は、本願の一実施形態による交差道路シナリオの概略アーキテクチャ図である。交差道路シナリオでのMECサーバの配置は、直線シナリオでの配置と同様である。相違点は、交差道路シナリオの構造では、図2に示すように、支線道路上にある、道路の交差点に最も近い路側基地局がすべて1つのMECサーバに接続され、これらの基地局のそれぞれが、対応する支線道路上のMECサーバにも接続されることである。このMECエッジサーバ配置方法によれば、道路の交差点で移動方向を変更することによってユーザによって引き起こされるセルハンドオーバも、同じMECサーバのカバレッジ内でのハンドオーバと見なされる。
【手続補正１７】
【補正対象書類名】明細書
【補正対象項目名】００９５
【補正方法】変更
【補正の内容】
【００９５】
別の任意選択の実施形態では、MECサーバは、クラウドサーバに記憶されている移動端末の移動経路情報を取得してもよい。代替的に、MECサーバは、移動経路要求を移動端末に送信し、移動経路要求に基づいて移動端末によって送信された移動端末の移動経路情報を受信してもよい。これは本願のこの実施形態では限定されない。
【手続補正１８】
【補正対象書類名】明細書
【補正対象項目名】０１５４
【補正方法】変更
【補正の内容】
【０１５４】
任意選択で、受信ユニットは、移動端末がソースセルからターゲットセルにハンドオーバするハンドオーバ時点に関する情報であって、状態情報に基づいてMECサーバによって送信される情報を受信するようにさらに構成される。ハンドオーバユニットは、ターゲットセルの識別子およびハンドオーバ時点に関する情報に基づいてソースセルからターゲットセルにハンドオーバするように特に構成される。
【手続補正１９】
【補正対象書類名】特許請求の範囲
【補正対象項目名】全文
【補正方法】変更
【補正の内容】
【特許請求の範囲】
【請求項１】
セルハンドオーバ方法であって、
モバイルエッジコンピューティング（MEC）サーバにより、ソースセルによって送信された移動端末の状態情報を受信するステップであって、前記状態情報が位置情報および速度情報を含み、前記ソースセルが前記移動端末にサービスを提供し、前記MECサーバが前記ソースセルにサービスを提供する、ステップと、
前記MECサーバにより、前記状態情報に基づいてターゲットセルを決定するステップであって、前記MECサーバが前記ターゲットセルにサービスを提供し、前記ターゲットセルが前記ソースセルに隣接し、前記ターゲットセルのカバレッジが前記ソースセルのカバレッジと部分的に重複する、ステップと、
前記MECサーバにより、前記ソースセルを使用して前記ターゲットセルの識別子を前記移動端末に送信するステップと
を含む方法。
【請求項２】
前記方法が、
前記MECサーバにより、前記ソースセルと前記ターゲットセルとの間のハンドオーバ領域に関する情報を取得するステップであって、前記ハンドオーバ領域が前記移動端末のセルハンドオーバに使用される、ステップと、
前記MECサーバにより、前記状態情報および前記ハンドオーバ領域に関する前記情報に基づいて、前記移動端末のサービングセルが前記ソースセルから前記ターゲットセルに切り替えられるハンドオーバ時点を決定するステップと
をさらに含み、
前記MECサーバにより、前記ソースセルを使用して前記ターゲットセルの識別子を前記移動端末に送信する前記ステップが、
前記MECサーバにより、前記ソースセルを使用して前記ターゲットセルの前記識別子および前記ハンドオーバ時点に関する情報を前記移動端末に送信するステップ
を含む、請求項1に記載の方法。
【請求項３】
前記MECサーバにより、前記ソースセルと前記ターゲットセルとの間のハンドオーバ領域に関する情報を取得する前記ステップであって、前記ハンドオーバ領域が前記移動端末のセルハンドオーバに使用される、前記ステップが、
前記MECサーバにより、試験に使用される試験移動端末のアップリンク信号を測定することによって前記ソースセルによって取得される第1の信号強度値と、前記アップリンク信号を測定することによって前記ターゲットセルによって取得される第2の信号強度値とを取得するステップであって、前記試験移動端末が前記ソースセルの前記カバレッジと前記ターゲットセルの前記カバレッジとの重複領域に位置する、ステップと、
前記MECサーバにより、前記試験移動端末が通過する領域であって、前記第1の信号強度値と前記第2の信号強度値との差が第1の閾値未満となる領域を、前記ハンドオーバ領域として決定するステップと
を含む、請求項2に記載の方法。
【請求項４】
前記MECサーバにより、前記状態情報および前記ハンドオーバ領域に関する前記情報に基づいて、前記移動端末のサービングセルが前記ソースセルから前記ターゲットセルに切り替えられるハンドオーバ時点を決定する前記ステップが、
前記MECサーバにより、前記状態情報と、前記ハンドオーバ領域に関する前記情報と、転移期間情報およびリソース構成情報のうちの少なくとも一方とに基づいて前記ハンドオーバ時点を決定するステップであって、前記転移期間情報が、前記移動端末のパケット・データ・コンバージェンス・プロトコル（PDCP）シーケンス番号（SN）状態を転移させるために前記ソースセルおよび前記ターゲットセルによって必要とされる期間を示すために使用され、前記リソース構成情報が、前記ターゲットセルのアップリンクリソースの現在の使用状況を示すために使用される、ステップ
を含む、請求項2または3に記載の方法。
【請求項５】
前記方法が、
前記MECサーバにより、前記ハンドオーバ時点および前記ターゲットセルのアップリンクリソースの現在の使用状況に基づいて、前記移動端末のために前記ターゲットセルによって予約されるアップリンクリソースを決定するステップ
をさらに含み、
前記MECサーバにより、前記ソースセルを使用して前記ターゲットセルの前記識別子および前記ハンドオーバ時点に関する情報を前記移動端末に送信する前記ステップが、
前記MECサーバにより、前記ソースセルを使用して前記ターゲットセルの前記識別子、前記ハンドオーバ時点に関する前記情報、および前記アップリンクリソースに関する情報を前記移動端末に送信するステップ
を含む、請求項2から4のいずれか一項に記載の方法。
【請求項６】
前記MECサーバにより、前記ハンドオーバ時点および前記ターゲットセルの前記アップリンクリソースの前記現在の使用状況に基づいて、前記移動端末のために前記ターゲットセルによって予約されるアップリンクリソースを決定する前記ステップの後に、前記方法が、
前記MECサーバにより、前記移動端末の識別子、前記ハンドオーバ時点に関する前記情報、および前記アップリンクリソースに関する前記情報を前記ターゲットセルに送信するステップ
をさらに含む、請求項5に記載の方法。
【請求項７】
セルハンドオーバ方法であって、
移動端末により、ソースセルを使用して状態情報をモバイルエッジコンピューティング（MEC）サーバに送信するステップであって、前記状態情報が前記移動端末の位置情報および速度情報を含み、前記MECサーバが前記ソースセルにサービスを提供し、前記ソースセルが前記移動端末にサービスを提供する、ステップと、
前記移動端末により、前記状態情報に基づいて前記MECサーバによって送信されたターゲットセルの識別子を受信するステップと、
前記移動端末により、前記ターゲットセルの前記識別子に基づいて前記ソースセルから前記ターゲットセルにハンドオーバするステップと
を含む方法。
【請求項８】
前記方法が、
前記移動端末により、前記移動端末が前記ソースセルから前記ターゲットセルにハンドオーバするハンドオーバ時点に関する情報であって、前記状態情報に基づいて前記MECサーバによって送信された情報を受信するステップをさらに含み、
前記移動端末により、前記ターゲットセルの前記識別子に基づいて前記ソースセルから前記ターゲットセルにハンドオーバする前記ステップが、
前記移動端末により、前記ターゲットセルの前記識別子および前記ハンドオーバ時点に関する前記情報に基づいて前記ソースセルから前記ターゲットセルにハンドオーバするステップ
を含む、請求項7に記載の方法。
【請求項９】
前記方法が、
前記移動端末により、前記移動端末のために前記ターゲットセルによって予約されるアップリンクリソースに関する情報であって、前記状態情報に基づいて前記MECサーバによって送信された情報を受信するステップ
をさらに含み、
前記移動端末により、前記ターゲットセルの前記識別子および前記ハンドオーバ時点に関する前記情報に基づいて前記ソースセルから前記ターゲットセルにハンドオーバする前記ステップが、
前記移動端末により、前記ターゲットセルの前記識別子、前記ハンドオーバ時点に関する前記情報、および前記アップリンクリソースに関する前記情報に基づいて前記ソースセルから前記ターゲットセルにハンドオーバするステップ
を含む、請求項8に記載の方法。
【請求項１０】
前記移動端末により、前記移動端末が前記ソースセルから前記ターゲットセルにハンドオーバするハンドオーバ時点に関する情報であって、前記状態情報に基づいて前記MECサーバによって送信された情報を受信する前記ステップの後に、前記方法が、
前記移動端末により、前記ハンドオーバ時点で前記ソースセルとの接続を切断するステップ
をさらに含む、請求項8または9に記載の方法。
【請求項１１】
セルハンドオーバ装置であって、
ソースセルによって送信される移動端末の状態情報を受信するように構成される受信ユニットであって、前記状態情報が位置情報および速度情報を含み、前記ソースセルが前記移動端末にサービスを提供し、モバイルエッジコンピューティング（MEC）サーバが前記ソースセルにサービスを提供する、受信ユニットと、
前記受信ユニットによって受信された前記状態情報に基づいてターゲットセルを決定するように構成される決定ユニットであって、前記MECサーバが前記ターゲットセルにサービスを提供し、前記ターゲットセルが前記ソースセルに隣接し、前記ターゲットセルのカバレッジが前記ソースセルのカバレッジと部分的に重複する、決定ユニットと、
前記決定ユニットによって決定された前記ターゲットセルの識別子を、前記ソースセルを使用して前記移動端末に送信するように構成される送信ユニットと
を備える装置。
【請求項１２】
前記装置が、
前記ソースセルと前記ターゲットセルとの間のハンドオーバ領域に関する情報を取得するように構成された取得ユニットであって、前記ハンドオーバ領域が前記移動端末のセルハンドオーバに使用される、取得ユニット
をさらに備え、
前記決定ユニットが、
前記状態情報および前記ハンドオーバ領域に関する前記情報に基づいて、前記移動端末のサービングセルが前記ソースセルから前記ターゲットセルに切り替えられるハンドオーバ時点を決定する
ようにさらに構成され、
前記送信ユニットが、
前記ソースセルを使用して前記ターゲットセルの前記識別子および前記ハンドオーバ時点に関する情報を前記移動端末に送信する
ように特に構成される、請求項11に記載の装置。
【請求項１３】
前記取得ユニットが、
試験に使用される試験移動端末のアップリンク信号を測定することによって前記ソースセルによって取得される第1の信号強度値と、前記アップリンク信号を測定することによって前記ターゲットセルによって取得される第2の信号強度値とを取得することであって、前記試験移動端末が前記ソースセルの前記カバレッジと前記ターゲットセルの前記カバレッジとの重複領域に位置する、ことと、
前記試験移動端末が通過する領域であって、前記第1の信号強度値と前記第2の信号強度値との差が第1の閾値未満となる領域を前記ハンドオーバ領域として決定することと
を行うように特に構成される、請求項12に記載の装置。
【請求項１４】
前記決定ユニットが、
前記状態情報と、前記ハンドオーバ領域に関する前記情報と、転移期間情報およびリソース構成情報のうちの少なくとも一方とに基づいて前記ハンドオーバ時点を決定することであって、前記転移期間情報が、前記移動端末のパケット・データ・コンバージェンス・プロトコル（PDCP）シーケンス番号（SN）状態を転移させるために前記ソースセルおよび前記ターゲットセルによって必要とされる期間を示すために使用され、前記リソース構成情報が、前記ターゲットセルのアップリンクリソースの現在の使用状況を示すために使用される、こと
を行うように特に構成される、請求項12または13に記載の装置。
【請求項１５】
前記決定ユニットが、
前記ハンドオーバ時点および前記ターゲットセルのアップリンクリソースの現在の使用状況に基づいて、前記移動端末のために前記ターゲットセルによって予約されるアップリンクリソースを決定する
ようにさらに構成され、
前記送信ユニットが、
前記ソースセルを使用して前記ターゲットセルの前記識別子、前記ハンドオーバ時点に関する前記情報、および前記アップリンクリソースに関する情報を前記移動端末に送信する
ように特に構成される、請求項12から14のいずれか一項に記載の装置。
【請求項１６】
前記送信ユニットが、
前記移動端末のために前記ターゲットセルによって予約される前記アップリンクリソースが前記ハンドオーバ時点および前記ターゲットセルの前記アップリンクリソースの前記現在の使用状況に基づいて決定された後に、前記移動端末の識別子、前記ハンドオーバ時点に関する前記情報、および前記アップリンクリソースに関する前記情報を前記ターゲットセルに送信する
ようにさらに構成される、請求項15に記載の装置。
【請求項１７】
セルハンドオーバ装置であって、
ソースセルを使用して状態情報をモバイルエッジコンピューティング（MEC）サーバに送信するように構成される送信ユニットであって、前記状態情報が移動端末の位置情報および速度情報を含み、前記MECサーバが前記ソースセルにサービスを提供し、前記ソースセルが前記移動端末にサービスを提供する、送信ユニットと、
前記送信ユニットによって送信された前記状態情報に基づいて前記MECサーバによって送信されるターゲットセルの識別子を受信するように構成される受信ユニットと、
前記受信ユニットによって受信された前記ターゲットセルの前記識別子に基づいて前記ソースセルから前記ターゲットセルにハンドオーバするように構成されるハンドオーバユニットと
を備える装置。
【請求項１８】
前記受信ユニットが、
前記移動端末が前記ソースセルから前記ターゲットセルにハンドオーバするハンドオーバ時点に関する情報であって、前記状態情報に基づいて前記MECサーバによって送信される情報を受信する
ようにさらに構成され、
前記ハンドオーバユニットが、
前記ターゲットセルの前記識別子および前記ハンドオーバ時点に関する前記情報に基づいて前記ソースセルから前記ターゲットセルにハンドオーバする
ように特に構成される、請求項17に記載の装置。
【請求項１９】
前記受信ユニットが、
前記移動端末のために前記ターゲットセルによって予約されるアップリンクリソースに関する情報であって、前記状態情報に基づいて前記MECサーバによって送信される情報を受信する
ようにさらに構成され、
前記ハンドオーバユニットが、
前記ターゲットセルの前記識別子、前記ハンドオーバ時点に関する前記情報、および前記アップリンクリソースに関する前記情報に基づいて前記ソースセルから前記ターゲットセルにハンドオーバする
ように特に構成される、請求項18に記載の装置。
【請求項２０】
前記装置が、
前記移動端末が前記ソースセルから前記ターゲットセルにハンドオーバする前記ハンドオーバ時点に関する前記情報であって、前記状態情報に基づいて前記MECサーバによって送信された前記情報を前記受信ユニットが受信した後に、前記ハンドオーバ時点で前記ソースセルとの接続を切断するように構成される処理ユニット
をさらに備える、請求項18または19に記載の装置。
【国際調査報告】
2019532604.tif 000015
2019532604.tif 000016
2019532604.tif 000017
2019532604.tif 000018